(57)【要約】映像ダウンロードサービスを利用する際に、ダウンロードが中断すると記録未完のファイル、いわゆるゴミファイルがメディアに残ったままとなる場合がある。制御部（１０３）は、コンテンツ書き込み部（１１２）がコンテンツをメディア（１０９）に記録する際に、ダミーライセンス生成部（１０５）で生成された有効期限を過去としたダミーライセンスをメディアへ記録させる。そして制御部（１０３）は、コンテンツのメディア（１０９）への記録が完了した際、メディアに記録したダミーライセンスを削除させるとともに、正当なライセンスをメディアに記録させる。
2011135642.tif 000002
【特許請求の範囲】
【請求項１】
コンテンツをメディアに記録するコンテンツ書き込み部と、
有効期限を過去としたダミーライセンスを生成し保持するダミーライセンス生成部と、
前記ダミーライセンスを前記メディアに書き込み、また前記メディアからダミーライセンスを削除するダミーライセンス記録削除部と、
前記コンテンツに対する正当なライセンスを前記メディアに書き込む正当ライセンス記録部と、
前記コンテンツ書き込み部が前記コンテンツを前記メディアに記録する際に、前記ダミーライセンス記録削除部によって前記ダミーライセンスを前記メディアへ記録させ、前記コンテンツ書き込み部による前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる制御部と、を備えたコンテンツ記録端末。
【請求項２】
前記制御部は、
前記コンテンツ書き込み部による前記コンテンツの前記メディアへの記録が完了せずに終わった場合に前記記録を再開させる際、その再開しようとする対象のメディアに記録されているライセンスが前記ダミーライセンスであれば、前記コンテンツ書き込み部によって前記コンテンツの前記メディアへの記録を継続させ、その後、前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる、請求項１に記載のコンテンツ記録端末。
【請求項３】
前記メディアに記録された前記コンテンツを削除するコンテンツ削除部を備え、
前記制御部は、前記コンテンツ書き込み部による前記コンテンツの前記メディアへの記録が完了せずに終わった場合に前記記録を再開させる際、その再開しようとする対象のメディアに記録されているライセンスが前記ダミーライセンスでなければ、前記コンテンツ削除部および前記ダミーライセンス記録削除部によって、前記メディアに記録されている前記コンテンツおよび前記ライセンスを削除させる、請求項１または２に記載のコンテンツ記録端末。
【請求項４】
前記有効期限を過去としたライセンスには、前記コンテンツ記録端末を識別する情報が含まれている、請求項１〜３のいずれかに記載のコンテンツ記録端末。
【請求項５】
少なくとも前記コンテンツの前記メディアへの記録開始前に、前記正当なライセンスを取得し、前記正当なライセンスを前記メディアに記録するまで保持するライセンス保存部を備えた、請求項１〜４のいずれかに記載のコンテンツ記録端末。
【請求項６】
前記コンテンツを前記メディアに記録する際に、前記コンテンツをネットワークを介して取得するコンテンツ取得部を備え、
前記メディアは、前記コンテンツ記録端末に内蔵された固定メディアである、請求項１〜５のいずれかに記載のコンテンツ記録端末。
【請求項７】
前記メディアは、可換型記録メディアである、請求項１〜５のいずれかに記載のコンテンツ記録端末。
【請求項８】
コンテンツをメディアに記録するコンテンツ書き込み部と、
有効期限を過去としたダミーライセンスを生成し保持するダミーライセンス生成部と、
前記ダミーライセンスを前記メディアに書き込み、また前記メディアからダミーライセンスを削除するダミーライセンス記録削除部と、
前記コンテンツに対する正当なライセンスを前記メディアに書き込む正当ライセンス記録部と、
前記コンテンツ書き込み部が前記コンテンツを前記メディアに記録する際に、前記ダミーライセンス記録削除部によって前記ダミーライセンスを前記メディアへ記録させ、前記コンテンツ書き込み部による前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる制御部と、
を有するコンテンツ記録端末と、
前記メディアに記録されたコンテンツおよびライセンスを読み込み、また前記メディアに記録されているコンテンツおよびライセンスを削除するコンテンツ読み込み削除部と、
前記コンテンツ読み込み削除部によって読み込まれたライセンスの有効期限が超過しているか判定する有効期限判定部と、
前記読み込まれたライセンスの有効期限が超過していない場合には、前記メディアに記録されたコンテンツを再生させ、前記読み込まれたライセンスの有効期限が超過している場合には、前記メディアに記録されたコンテンツおよびライセンスをコンテンツ読み込み削除部によって削除させる再生制御部と、
を有するコンテンツ再生端末と、
を備えたコンテンツ記録再生システム。
【請求項９】
コンテンツをメディアに記録するコンテンツ記録端末におけるコンテンツの記録方法であって、
前記コンテンツを前記メディアに記録するコンテンツ記録ステップと、
有効期限を過去としたダミーライセンスを生成するダミーライセンス生成ステップと、
前記コンテンツを前記メディアに記録する際に、前記ダミーライセンスを前記メディアに記録するダミーライセンス記録ステップと、
前記コンテンツの前記メディアへの記録が完了した際、前記メディアに記録した前記ダミーライセンスを削除するとともに、前記コンテンツに対する正当なライセンスを前記メディアに記録するライセンス記録ステップと、を備えたコンテンツの記録方法。
【請求項１０】
前記コンテンツの前記メディアへの記録が完了せずに終わった場合に前記記録を再開する際、その再開しようとする対象のメディアに記録されているライセンスが前記ダミーライセンスであれば、前記コンテンツの前記メディアへの記録を継続し、その後、前記コンテンツの前記メディアへの記録が完了した際、前記メディアに記録した前記ダミーライセンスを削除するとともに前記正当なライセンスを前記メディアに記録するコンテンツ記録継続ステップを備えた、請求項９に記載のコンテンツの記録方法。
【請求項１１】
前記コンテンツ記録継続ステップは、前記コンテンツの前記メディアへの記録が完了せずに終わった場合に前記記録を再開する際、その再開しようとする対象のメディアに記録されているライセンスが前記ダミーライセンスでなければ、前記メディアに記録されている前記コンテンツおよび前記ライセンスを削除する、請求項９または１０に記載のコンテンツの記録方法。
【請求項１２】
請求項９に記載のコンテンツの記録方法の、有効期限を過去としたダミーライセンスを生成する前記ダミーライセンス生成ステップ、前記コンテンツを前記メディアに記録する際に、前記ダミーライセンスを前記メディアに記録する前記ダミーライセンス記録ステップ、前記コンテンツの前記メディアへの記録が完了した際、前記メディアに記録した前記ダミーライセンスを削除するとともに、前記コンテンツに対する正当なライセンスを前記メディアに記録する前記ライセンス記録ステップ、をコンピュータに実行させるプログラムを記録した記録媒体であって、コンピュータにより処理可能な記録媒体。
【発明の詳細な説明】
【技術分野】
【０００１】
本発明は、映像・音声コンテンツなどを映像受信端末に接続されたメディアに格納する、コンテンツ記録端末、コンテンツ記録再生システムおよびコンテンツの記録方法等に関する。
【背景技術】
【０００２】
近年、通信ネットワーク（通信回線）を用いた映像配信サービスが盛んになりつつある。映像コンテンツなどを配信するための映像配信サーバ、インターネットなどの宅外ネットワークと宅内ネットワークで構成される通信ネットワーク、および宅内ネットワークに接続された映像受信端末装置（以下、映像受信端末と称す）などで構成される映像配信システムにおいて、ユーザは、映像を視聴するための端末である映像受信端末を操作することにより、通信事業者や映像配信事業者の映像配信サーバで提供される、ＶＯＤ（Ｖｉｄｅｏ  Ｏｎ  Ｄｅｍａｎｄ）サービスや、ＩＰ（Ｉｎｔｅｒｎｅｔ  Ｐｒｏｔｏｃｏｌ）放送および映像ダウンロードサービスなどを利用することが可能となってきた。【０００３】
図８に、従来の映像ダウンロードサービスにおける映像コンテンツの処理内容を説明する図を示す。【０００４】
従来の映像ダウンロードサービスでは、図８に示すように、映像受信端末２００は、映像配信サーバ２１０から映像コンテンツをダウンロードして、内蔵されたＨＤＤ２０１内に蓄積する。【０００５】
そして、映像受信端末２００は、その映像コンテンツを購入した際に取得した視聴ライセンスによりその映像コンテンツの再生が許可され、ＨＤＤ２０１に蓄積した映像コンテンツを復号化して出力することが可能となり、接続されたディスプレイ２０２などに出力させて視聴することができる。また、その映像コンテンツを他のメディアに書き込むことが許可されている場合には、ＨＤＤ２０１に蓄積した映像コンテンツを復号化し、エキスポート用の暗号化をした後、リムーバブルメディア２０３に書き込むこともできる。【０００６】
映像ダウンロードサービスを利用する際、映像コンテンツの管理を行う必要がある。【０００７】
例えば、映像コンテンツを配信する映像配信サーバ２１０側は、映像受信端末２００に映像コンテンツの再生を許可するために、映像コンテンツを正しくダウンロードできているか把握する必要がある。また、レンタルサービスなどの視聴期間が限られている映像コンテンツに関しては、視聴期限が過ぎたら速やかにその映像コンテンツを削除するように映像受信端末２００側で対応されている。【０００８】
このように映像コンテンツの管理を適切に行うことで、サービス事業者、ユーザの権利を守ることが可能となる。【０００９】
映像コンテンツの管理を適切に行うために、ダウンロードサービス実施前に、映像受信端末が視聴ライセンスとは別のライセンスを映像配信サーバから取得することで、映像配信サーバが映像コンテンツのダウンロード完了を確認する方法が開示されている（例えば、特許文献１参照）。【００１０】
特許文献１における映像コンテンツのダウンロード完了の確認方法は、まず映像コンテンツのダウンロード開始前に視聴ライセンスと異なる別のライセンスを取得する。このライセンスの有効期限は、十分短時間に設定されているので、映像コンテンツの再生には利用できないようになっている。映像受信端末は映像コンテンツのダウンロードが完了すると、このライセンスを使用し、サービス事業者のＤＲＭ（Ｄｉｇｉｔａｌ  Ｒｉｇｈｔｓ  Ｍａｎａｇｅｍｅｎｔ）サーバへ視聴ライセンスの取得要求を行う。ＤＲＭサーバはこの視聴ライセンス取得要求により、映像受信端末が映像コンテンツのダウンロードを完了したことを把握する。【００１１】
以上のようにして、サーバ側における、映像コンテンツのダウンロード完了の確認を実現していた。
【先行技術文献】
【特許文献】
【００１２】
【特許文献１】国際公開第２００８／１４６９１３号
【発明の概要】
【発明が解決しようとする課題】
【００１３】
しかしながら、従来のダウンロードサービスでは、映像コンテンツのダウンロードが中断した場合に、映像受信端末で記録している記録メディア内に、途中までダウンロードされた映像コンテンツが残ってしまうという問題があった。【００１４】
映像コンテンツのダウンロードは、中断する可能性が高い。この中断する原因には電源断などの外的要因や、別アプリケーションの起動などの内的要因が考えられる。【００１５】
このような原因によりダウンロードが不意に中断した場合は、映像受信端末側の記録メディアであるＨＤＤやリムーバブルメディアに、途中までダウンロードされた映像コンテンツが残っている。このような映像コンテンツはいわゆるゴミファイルとして記録メディア内に残ってしまう可能性がある。【００１６】
このようなゴミファイルは、記録メディアの容量を圧迫するだけでなく、悪意のあるユーザや端末に映像コンテンツの解析を行わせる機会を与えることにもなる。特許文献１の映像コンテンツのダウンロード完了確認方法において使用されるライセンスは、ダウンロードの完了を管理する目的で使用するため、有効期限が短く設定されている。そのためライセンスの有効期限が切れても、映像受信端末によってはライセンスのみを削除し、映像コンテンツのデータがそのまま残されてしまう可能性がある。【００１７】
特にリムーバブルメディアへ記録していた場合には、他の端末への持ち運びが容易なので、悪意のあるユーザに映像コンテンツを解析され易くなる。【００１８】
本発明は、このような課題を鑑みてなされたものであり、映像コンテンツの記録メディアへの記録処理が中断した場合でも、記録途中のゴミファイルを適切に削除することができる、コンテンツ記録端末、コンテンツ記録再生システムおよびコンテンツの記録方法等を提供することを目的とする。
【課題を解決するための手段】
【００１９】
上述した課題を解決するために、第１の本発明は、
コンテンツをメディアに記録するコンテンツ書き込み部と、
有効期限を過去としたダミーライセンスを生成し保持するダミーライセンス生成部と、
前記ダミーライセンスを前記メディアに書き込み、また前記メディアからダミーライセンスを削除するダミーライセンス記録削除部と、
前記コンテンツに対する正当なライセンスを前記メディアに書き込む正当ライセンス記録部と、
前記コンテンツ書き込み部が前記コンテンツを前記メディアに記録する際に、前記ダミーライセンス記録削除部によって前記ダミーライセンスを前記メディアへ記録させ、前記コンテンツ書き込み部による前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる制御部と、を備えたコンテンツ記録端末である。【００２０】
また、第２の本発明は、
前記制御部は、
前記コンテンツ書き込み部による前記コンテンツの前記メディアへの記録が完了せずに終わった場合に前記記録を再開させる際、その再開しようとする対象のメディアに記録されているライセンスが前記ダミーライセンスであれば、前記コンテンツ書き込み部によって前記コンテンツの前記メディアへの記録を継続させ、その後、前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる、第１の本発明のコンテンツ記録端末である。【００２１】
また、第３の本発明は、
前記メディアに記録された前記コンテンツを削除するコンテンツ削除部を備え、
前記制御部は、前記コンテンツ書き込み部による前記コンテンツの前記メディアへの記録が完了せずに終わった場合に前記記録を再開させる際、その再開しようとする対象のメディアに記録されているライセンスが前記ダミーライセンスでなければ、前記コンテンツ削除部および前記ダミーライセンス記録削除部によって、前記メディアに記録されている前記コンテンツおよび前記ライセンスを削除させる、第１または第２の本発明のコンテンツ記録端末である。【００２２】
また、第４の本発明は、
前記有効期限を過去としたライセンスには、前記コンテンツ記録端末を識別する情報が含まれている、第１〜第３のいずれかの本発明のコンテンツ記録端末である。【００２３】
また、第５の本発明は、
少なくとも前記コンテンツの前記メディアへの記録開始前に、前記正当なライセンスを取得し、前記正当なライセンスを前記メディアに記録するまで保持するライセンス保存部を備えた、第１〜第４のいずれかの本発明のコンテンツ記録端末である。【００２４】
また、第６の本発明は、
前記コンテンツを前記メディアに記録する際に、前記コンテンツをネットワークを介して取得するコンテンツ取得部を備え、
前記メディアは、前記コンテンツ記録端末に内蔵された固定メディアである、第１〜第５のいずれかの本発明のコンテンツ記録端末である。【００２５】
また、第７の本発明は、
前記メディアは、可換型記録メディアである、第１〜第５のいずれかの本発明のコンテンツ記録端末である。【００２６】
また、第８の本発明は、
コンテンツをメディアに記録するコンテンツ書き込み部と、
有効期限を過去としたダミーライセンスを生成し保持するダミーライセンス生成部と、
前記ダミーライセンスを前記メディアに書き込み、また前記メディアからダミーライセンスを削除するダミーライセンス記録削除部と、
前記コンテンツに対する正当なライセンスを前記メディアに書き込む正当ライセンス記録部と、
前記コンテンツ書き込み部が前記コンテンツを前記メディアに記録する際に、前記ダミーライセンス記録削除部によって前記ダミーライセンスを前記メディアへ記録させ、前記コンテンツ書き込み部による前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる制御部と、
を有するコンテンツ記録端末と、
前記メディアに記録されたコンテンツおよびライセンスを読み込み、また前記メディアに記録されているコンテンツおよびライセンスを削除するコンテンツ読み込み削除部と、
前記コンテンツ読み込み削除部によって読み込まれたライセンスの有効期限が超過しているか判定する有効期限判定部と、
前記読み込まれたライセンスの有効期限が超過していない場合には、前記メディアに記録されたコンテンツを再生させ、前記読み込まれたライセンスの有効期限が超過している場合には、前記メディアに記録されたコンテンツおよびライセンスをコンテンツ読み込み削除部によって削除させる再生制御部と、
を有するコンテンツ再生端末と、
を備えたコンテンツ記録再生システムである。【００２７】
また、第９の本発明は、
コンテンツをメディアに記録するコンテンツ記録端末におけるコンテンツの記録方法であって、
前記コンテンツを前記メディアに記録するコンテンツ記録ステップと、
有効期限を過去としたダミーライセンスを生成するダミーライセンス生成ステップと、
前記コンテンツを前記メディアに記録する際に、前記ダミーライセンスを前記メディアに記録するダミーライセンス記録ステップと、
前記コンテンツの前記メディアへの記録が完了した際、前記メディアに記録した前記ダミーライセンスを削除するとともに、前記コンテンツに対する正当なライセンスを前記メディアに記録するライセンス記録ステップと、を備えたコンテンツの記録方法である。【００２８】
また、第１０の本発明は、
前記コンテンツの前記メディアへの記録が完了せずに終わった場合に前記記録を再開する際、その再開しようとする対象のメディアに記録されているライセンスが前記ダミーライセンスであれば、前記コンテンツの前記メディアへの記録を継続し、その後、前記コンテンツの前記メディアへの記録が完了した際、前記メディアに記録した前記ダミーライセンスを削除するとともに前記正当なライセンスを前記メディアに記録するコンテンツ記録継続ステップを備えた、第９の本発明のコンテンツの記録方法である。【００２９】
また、第１１の本発明は、
前記コンテンツ記録継続ステップは、前記コンテンツの前記メディアへの記録が完了せずに終わった場合に前記記録を再開する際、その再開しようとする対象のメディアに記録されているライセンスが前記ダミーライセンスでなければ、前記メディアに記録されている前記コンテンツおよび前記ライセンスを削除する、第９または第１０の本発明のコンテンツの記録方法である。【００３０】
また、第１２の本発明は、
第９の本発明のコンテンツの記録方法の、有効期限を過去としたダミーライセンスを生成する前記ダミーライセンス生成ステップ、前記コンテンツを前記メディアに記録する際に、前記ダミーライセンスを前記メディアに記録する前記ダミーライセンス記録ステップ、前記コンテンツの前記メディアへの記録が完了した際、前記メディアに記録した前記ダミーライセンスを削除するとともに、前記コンテンツに対する正当なライセンスを前記メディアに記録する前記ライセンス記録ステップ、をコンピュータに実行させるプログラムを記録した記録媒体であって、コンピュータにより処理可能な記録媒体である。
【発明の効果】
【００３１】
本発明により、映像コンテンツの記録メディアへの記録処理が中断した場合でも、記録途中のゴミファイルを適切に削除することができる、コンテンツ記録端末、コンテンツ記録再生システムおよびコンテンツの記録方法等を提供できる。
【図面の簡単な説明】
【００３２】
【図１】本発明の実施の形態１の映像受信端末の構成を示すブロック図
【図２】本発明の実施の形態１における、映像コンテンツのダウンロード時の映像受信端末および映像配信サーバにおける動作および通信シーケンスを示した図
【図３】本発明の実施の形態１の、映像受信端末における映像コンテンツのダウンロードを行う手順を示すフローチャート
【図４】本発明の実施の形態１の、映像コンテンツの詳細画面の表示例を示す図
【図５】本発明の実施の形態１の映像再生端末の構成を示すブロック図
【図６】本発明の実施の形態１の映像再生端末における、映像コンテンツの再生指示を受けた際の、ライセンス判定処理のフローチャート
【図７】本発明の実施の形態１の映像受信端末における、ＳＤカード内の映像コンテンツが、ダウンロード途中の映像コンテンツであるかを判断する手順を示すフローチャート
【図８】従来の映像ダウンロードサービスにおける映像コンテンツの処理内容を説明するための図
【発明を実施するための形態】
【００３３】
以下に、本発明を実施するための形態について、図面を参照しながら説明する。
【００３４】
（実施の形態１）
図１は、本発明の実施の形態１のコンテンツ利用システムにおける映像受信端末の構成を示すブロック図である。
【００３５】
図１において、本実施の形態１の映像受信端末１００は、データ取得送信部１０１、ネットワークＩ／Ｆ部１０２、制御部１０３、ライセンス保存部１０４、ダミーライセンス作成・保存部１０５、表示部１０６、ユーザ操作受付部１０７、受信バッファ１０８、時刻比較部１１１、ＳＤカード読み書き部１１２を備えており、ダウンロードが中断した際に、記録メディア（ＳＤカード１０９）内のゴミファイルを適切に削除する機能を有する。
【００３６】
また、映像受信端末１００には、ＳＤカード１０９が挿入され、映像コンテンツやライセンスなどをＳＤカード１０９に記録し、また読み出す。
【００３７】
なお、映像受信端末１００でダウンロードおよび記録する映像コンテンツが、本発明のコンテンツの一例にあたり、映像受信端末１００が、本発明のコンテンツ受信端末の一例にあたる。また、データ取得送信部１０１が、本発明のコンテンツ取得部の一例にあたり、ダミーライセンス作成・保存部１０５が、本発明のダミーライセンス生成部の一例にあたる。また、制御部１０３によって制御されるＳＤカード読み書き部１１２が、本発明の、コンテンツ書き込み部、ダミーライセンス記録削除部、および正当ライセンス記録部のそれぞれの一例にあたる。また、ＳＤカード１０９が、本発明の可搬型記録メディアの一例にあたる。
【００３８】
なお、映像受信端末１００は、通信事業者や映像配信事業者などが提供するダウンロードサービスにおける映像コンテンツや、映像受信端末内に保存された映像コンテンツを、記録メディアにダウンロード、またはエキスポートする機能を有する映像受信端末であり、このような映像受信端末１００としては、デジタルテレビ、セットトップボックスおよびパーソナルコンピュータ等が考えられるが、これらに限定されるものではない。
【００３９】
図１において破線で示す矢印は、映像コンテンツおよびライセンスなどのデータの流れを示しており、実線で示す矢印は、制御情報などの、データ以外の情報の流れを示している。
【００４０】
ネットワークＩ／Ｆ部１０２は、外部通信ネットワークを介して、通信事業者や映像配信事業者などが提供する映像配信サーバ１２０に接続されている。
【００４１】
データ取得送信部１０１は、ネットワークＩ／Ｆ部１０２を介して映像配信サーバ１２０から送信されるＨＴＭＬコンテンツ、映像コンテンツ、および映像コンテンツに紐付いたライセンスを受信し、また、制御部１０３から指示されるデータをネットワークＩ／Ｆ部１０２を介して映像配信サーバ１２０へ送信する。
【００４２】
制御部１０３は、映像受信端末１００内の各操作における制御を行う。
【００４３】
ライセンス保存部１０４は、ネットワークＩ／Ｆ部１０２を介して映像配信サーバ１２０から送信される、映像コンテンツに紐付いたライセンスを格納しておく。
【００４４】
ダミーライセンス作成・保存部１０５は、制御部１０３の要求に従い、ライセンス保存部１０４に格納されているライセンスと異なる、映像コンテンツを再生できないダミーライセンスを作成し、保存する。
【００４５】
表示部１０６は、制御部１０３より表示要求のあったデータを表示し、ユーザに提示する。
【００４６】
ユーザ操作受付部１０７は、ユーザのリモコン操作などによる外部からの映像コンテンツダウンロード要求、または映像コンテンツの詳細情報取得要求を受け付け、その受け付けた映像コンテンツダウンロード要求、または映像コンテンツの詳細情報取得要求を制御部１０３へ送信する。
【００４７】
受信バッファ１０８は、ダウンロード中の映像コンテンツを一時記録するバッファであり、ＲＡＭなどが使用される。
【００４８】
時刻比較部１１１は、現在時刻を取得する機能を有し、現在時刻とライセンスの有効期限を比較し、ライセンスの有効・無効を判定する。
【００４９】
ＳＤカード読み書き部１１２は、制御部１０３からの指示に従って、映像コンテンツやライセンスなどのデータを、映像受信端末１００に挿入されたＳＤカード１０９に書き込み、また削除する。
【００５０】
ＳＤカード１０９のコンテンツ格納部１１３には、映像コンテンツが格納され、ライセンス格納部１１０には、ＳＤカード１０９に格納された映像コンテンツに紐付けられたライセンスおよびダミーライセンスが格納される。
【００５１】
次に、映像受信端末１００における映像コンテンツのダウンロード方法の実行手順について説明する。
【００５２】
ここでは、本実施の形態１の実行手順の例として、映像受信端末１００がダウンロードする映像コンテンツを、映像受信端末１００に挿入されているＳＤカード１０９に直接記録する直接エキスポート処理の場合について説明する。
【００５３】
なお、映像配信サーバ１２０からダウンロードする映像コンテンツはＤＲＭで暗号化されており、その映像コンテンツをＳＤカード１０９に記録するために、ＤＲＭの暗号を復号して、ＳＤカード用のＣＰＳであるＣＰＲＭ形式などに再暗号化してＳＤカード１０９に記録するが、図１では、これらの復号および再暗号化する処理を示すブロックの記載は省略している。
【００５４】
まず、図１〜図４を用いて映像受信端末１００における映像コンテンツのダウンロード方法について説明する。
【００５５】
図２は、映像コンテンツのダウンロード時の映像受信端末１００および映像配信サーバ１２０における動作および通信シーケンスを示している。
【００５６】
図３は、映像受信端末１００における映像コンテンツのダウンロード手順を示すフローチャートである。
【００５７】
図４は、映像コンテンツダウンロード時における表示部１０６によって表示される映像コンテンツの詳細を表す画面表示例を示している。この画面は、ユーザのリモコンなどの操作により映像配信サーバ１２０からＨＴＭＬなどのデータを受信し、そのＨＴＭＬデータに従って制御部１０３が表示部１０６によって表示させるものである。
【００５８】
表示部１０６によって表示される映像配信サーバ１２０が提供する映像コンテンツを選択する画面を見て、ユーザが希望する映像コンテンツの詳細画面取得操作を行うと、ユーザ操作受付部１０７は、ユーザからのダウンロード希望コンテンツ選択指示３０１を受け取り、制御部１０３に送信する。制御部１０３は、データ取得送信部１０１によってコンテンツ詳細画面取得要求３０２を映像配信サーバ１２０へ送信させる。映像配信サーバ１２０は、コンテンツ詳細画面取得要求３０２に従い、該当する映像コンテンツの詳細画面を生成３０３し、コンテンツ詳細画面応答３０４として映像受信端末１００へ送信する。映像受信端末１００の制御部１０３は、データ取得送信部１０１からコンテンツ詳細画面応答３０４を受け取ると、表示部１０６によって、図４に示すようなコンテンツ詳細画面を表示３０５させる（ステップＳ１０１）。
【００５９】
ユーザは、図４で示される映像コンテンツ名１３０や映像コンテンツ詳細１３１によって、映像コンテンツのあらすじや、価格などの映像コンテンツの情報を確認し、画面上の映像コンテンツダウンロード実行ボタン１３２を押下する（ステップＳ１０２）。
【００６０】
次にユーザ操作受付部１０７は、ユーザからの映像コンテンツのダウンロード実行要求３０６を受け取り、制御部１０３に送信する。制御部１０３は、データ取得送信部１０１によってコンテンツダウンロード要求３０７を映像配信サーバ１２０へ送信させる（ステップＳ１０３）。映像配信サーバ１２０は、コンテンツダウンロード要求３０７に従い、コンテンツ購入確定処理３０８を行う。
【００６１】
そして、映像配信サーバ１２０は、映像受信端末１００へ、映像コンテンツと映像コンテンツに紐付いたライセンスを送信する。
【００６２】
まず、映像配信サーバ１２０は、映像受信端末１００からのコンテンツダウンロード要求３０７に対するコンテンツダウンロード応答３０９を返す。このとき映像配信サーバ１２０は、コンテンツダウンロード応答３０９とともに、ライセンスを返す。今後の説明を簡単にするために、このライセンスのことを正式ライセンスと呼ぶことにする。コンテンツダウンロード応答３０９を受信した映像受信端末１００の制御部１０３は、データ取得送信部１０１から受け取った正式ライセンスをライセンス保存部１０４に退避３１０する（ステップＳ１０４）。
【００６３】
そして、制御部１０３は、ダミーライセンス作成・保存部１０５へ、ダミーライセンス生成要求を送信する。ダミーライセンス作成・保存部１０５は、制御部１０３からのダミーライセンス生成要求に従い、ダミーライセンスを生成３１１する。このとき、生成されるダミーライセンスの有効期限は、現在時刻よりも過去に設定される。
【００６４】
ダミーライセンス作成・保存部１０５は、生成したダミーライセンスを自身に保存しておくとともに、ＳＤカード読み書き部１１２によってＳＤカード１０９内のライセンス格納部１１０へ格納３１２する（ステップＳ１０５）。なお、ダミーライセンスには、映像受信端末１００自身を他の端末と識別できる端末ＩＤなどの情報が含まれている。
【００６５】
映像配信サーバ１２０からコンテンツデータダウンロード３１３によって受信される映像コンテンツのデータは、受信バッファ１０８を経由して、ＳＤカード読み書き部１１２によってＳＤカード１０９へエキスポート３１４され、ＳＤカード１０９内のコンテンツ格納部１１３に格納される。
【００６６】
映像コンテンツのダウンロードが完了した場合、制御部１０３は、ライセンス保存部１０４に退避させていた正式ライセンスを、ＳＤカード１０９内のライセンス格納部１１０へ書き込ませる３１５ことで、ダミーライセンスを上書きさせる。また、制御部１０３は、ダミーライセンス作成・保存部１０５に保存させていたダミーライセンスを削除する（ステップＳ１０６）。
【００６７】
以上の処理により、映像コンテンツが映像配信サーバ１２０からダウンロードされて、ＳＤカード１０９に記録される。
【００６８】
なお、上記では、映像コンテンツのダウンロードを開始する際に、映像配信サーバ１２０から正式ライセンスを取得することとしたが、映像コンテンツをＳＤカード１０９へ記録開始する前であれば、映像コンテンツを購入した直後など、事前に正式ライセンスを取得しておいてもよい。
【００６９】
また、上記では、正式ライセンスを映像配信サーバ１２０から取得することとしたが、それ以外の方法で、例えばリムーバブルメディアなどから読み込むなどして正式ライセンスを取得するようにしてもよい。
【００７０】
次に、上記のようにして映像受信端末１００によってＳＤカード１０９に書き出した映像コンテンツを持ち出して、携帯端末などの他の映像再生端末で再生する際の処理手順について説明する。
【００７１】
図５は、ＳＤカード１０９に格納された映像コンテンツを再生する、携帯端末などの映像再生端末の構成を示すブロック図である。図５に示す映像再生端末１４０は、本願特有の構成のものではなく、従来から用いられている一般的な構成の映像再生端末である。
【００７２】
図５においても図１と同様に、映像コンテンツおよびライセンスなどのデータの流れを破線の矢印で示し、制御情報などの、データ以外の情報の流れを実線の矢印で示している。
【００７３】
再生制御部１４１は、映像再生端末１４０で映像コンテンツを再生する際の制御を行う。
【００７４】
表示部１４４は、再生制御部１４１から出力される映像コンテンツの再生データを表示し、ユーザに提示する。
【００７５】
ユーザ操作受付部１４５は、ユーザのボタン操作などによる映像コンテンツの一覧表示指示、選択された映像コンテンツの再生指示などを受け付け、その受け付けたユーザの指示情報を再生制御部１４１へ送信する。
【００７６】
時刻比較部１４３は、現在時刻を取得する機能を有し、現在時刻とライセンスの有効期限を比較し、ライセンスの有効・無効を判定する。
【００７７】
ＳＤカード読み書き部１４２は、再生制御部１４１からの指示に従って、映像コンテンツやライセンスなどのデータを、映像再生端末１４０に挿入されたＳＤカード１０９から読み込み、また削除する。
【００７８】
なお、映像再生端末１４０が、本発明のコンテンツ再生端末の一例にあたる。また、ＳＤカード読み書き部１４２が、本発明のコンテンツ読み込み削除部の一例にあたり、時刻比較部１４３が、本発明の有効期限判定部の一例にあたる。
【００７９】
次に、図５および図６を用いて、映像再生端末１４０における、ＳＤカード１０９に格納された映像コンテンツの再生方法について説明する。
【００８０】
図６は、ユーザのボタン操作などにより、ＳＤカード１０９内のコンテンツ格納部１１３に格納されている映像コンテンツの再生指示を受けた際の、その映像コンテンツのライセンスが有効であるかを判断するフローチャートである。
【００８１】
ＳＤカード１０９に格納されている映像コンテンツに対するユーザからの再生指示がユーザ操作受付部１４５によって受け付けられ、再生制御部１４１へ通知されると、再生制御部１４１は、コンテンツ格納部１１３に格納されている映像コンテンツに紐付けられたライセンスをライセンス格納部１１０から参照し、時刻比較部１４３に対してライセンスの有効期限比較要求を行う（ステップＳ２１０）。
【００８２】
このとき時刻比較部１４３は、現在時刻を取得し、ライセンス格納部１１０から参照したライセンスの有効期限が過ぎているか確認する。
【００８３】
ステップＳ２１１において、現在時刻がライセンスの有効期限を過ぎているとき、再生制御部１４１は、そのライセンスに対応する映像コンテンツを、ＳＤカード読み書き部１４２によってコンテンツ格納部１１３から削除させる（ステップＳ２１２）。またこのとき、再生制御部１４１は、ライセンス格納部１１０に格納されているその有効期限が過ぎたライセンスも削除させる。
【００８４】
ステップＳ２１１において、現在時刻がライセンスの有効期限を過ぎていないとき、再生制御部１４１はその映像コンテンツを正常に再生して表示部１４４に表示させる（ステップＳ２１３）。
【００８５】
次に、図１および図７を用いて、映像受信端末１００において映像コンテンツのＳＤカード１０９へのエキスポート中にダウンロードが中断した場合の、不要な映像コンテンツの削除方法、およびダウンロードの継続方法について説明する。
【００８６】
映像コンテンツのダウンロードが中断した場合とは、図２のコンテンツエキスポート３１４の実行中に処理が中断したような場合であり、図３のステップＳ１０５の処理が行なわれた後、ステップＳ１０６の処理がまだ行なわれていない状態となる。
【００８７】
ダウンロードが中断したため、ＳＤカード１０９のコンテンツ格納部１１３には、ダウンロード途中の映像コンテンツのデータが格納されており、またライセンス格納部１１０とダミーライセンス作成・保存部１０５にはダミーライセンスが格納されている状態となっている。
【００８８】
図７は、、映像受信端末１００において、ＳＤカード１０９内のコンテンツ格納部１１３に格納されている映像コンテンツが、ダウンロード途中の映像コンテンツであるか、ライセンスが有効である映像コンテンツであるかを判断するフローチャートである。
【００８９】
まず、映像受信端末１００は、ＳＤカード１０９が挿入されると、制御部１０３が、コンテンツ格納部１１３に格納されている映像コンテンツに紐付けられたライセンスをライセンス格納部１１０から参照する。そして、その参照したライセンスが、ダミーライセンス作成・保存部１０５にも格納されているか確認する（ステップＳ２０１）。
【００９０】
ダミーライセンス作成・保存部１０５にも同一のライセンスが格納されていた場合、すなわちライセンス格納部１１０から参照したライセンスが、映像受信端末１００自身が記録したダミーライセンスであった場合には、制御部１０３は、コンテンツ格納部１１３に格納されている映像コンテンツは、映像受信端末１００自身によりダウンロードが途中までなされていたものであると判断し、その映像コンテンツのダウンロードを再開させ、継続してその映像コンテンツのデータをコンテンツ格納部１１３に記録させる（ステップＳ２０２）。
【００９１】
ステップＳ２０１において、参照したライセンスと同一のダミーライセンスがダミーライセンス作成・保存部１０５に格納されていない場合、次に制御部１０３は、時刻比較部１１１に対してライセンスの有効期限比較要求を行う（ステップＳ２０３）。
【００９２】
このとき時刻比較部１１１は、現在時刻を取得し、ライセンス格納部１１０から参照したライセンスの有効期限が過ぎているか確認する。現在時刻の取得方法は、ＮＴＰ（Ｎｅｔｗｏｒｋ  Ｔｉｍｅ  Ｐｒｏｔｏｃｏｌ）サーバへのアクセスや、デジタル放送のＴＯＴ取得などが考えられるが、これらに限定されるものではない。
【００９３】
ステップＳ２０６において現在時刻がライセンスの有効期限を過ぎているとき、制御部１０３は、そのライセンスに対応するコンテンツ格納部１１３に格納されている映像コンテンツを、ＳＤカード読み書き部１１２によって削除させる（ステップＳ２０４）。またこのとき、制御部１０３は、ライセンス格納部１１０に格納されているその有効期限が過ぎたライセンスも削除させる。
【００９４】
ライセンスの有効期限が過ぎている映像コンテンツには、レンタルサービスにて提供される映像コンテンツのように正常に有効期限が切れたものもあれば、前述のようなダウンロードが中断したためにコンテンツ格納部１１３へ記録途中だった映像コンテンツも含まれる。すなわち、映像コンテンツのダウンロード開始後、完了するまでの間は、ライセンス格納部１１０には有効期限を過去に設定したダミーライセンスが格納されている（ステップＳ１０５）ので、コンテンツ格納部１１３へ記録途中だった映像コンテンツに対応するライセンスを参照した場合、このダミーコンテンツが読み出され、有効期限が切れていると判断されるからである。
【００９５】
したがって、映像受信端末１００自身以外の端末で記録途中であった映像コンテンツ、すなわち映像受信端末１００では不要な映像コンテンツについては、ライセンスの有効期限が過ぎていると判断されるので、制御部１０３は、ステップＳ２０６においてライセンスの有効期限が過ぎているか否かを判定するだけで、映像受信端末１００自身以外の端末で記録途中であった映像コンテンツも、有効期限が過ぎた不要な映像コンテンツとして判断できることになる。
【００９６】
したがって、制御部１０３は、ステップＳ２０６において、有効期限が過ぎていると判断した映像コンテンツをコンテンツ格納部１１３から削除する（ステップＳ２０４）ので、このとき、映像受信端末１００自身以外の端末で記録途中であった不要な映像コンテンツも削除されることになる。
【００９７】
ステップＳ２０６において、現在時刻がライセンスの有効期限を過ぎていないとき、制御部１０３はその映像コンテンツが「有効な映像コンテンツである」として処理を終了する。
【００９８】
なお、ここでは、映像受信端末１００にＳＤカード１０９が挿入された際に、ＳＤカード１０９内のコンテンツ格納部１１３に格納されている映像コンテンツが、ダウンロード途中の映像コンテンツであるかを判断する場合について説明したが、映像受信端末１００がＳＤカード１０９内のコンテンツ格納部１１３に格納されている映像コンテンツの再生指示を受けた際に、ダウンロード途中の映像コンテンツであるかを判断させるようにしてもよい。この場合も、図７に示したフローと同様の処理を行うが、ステップＳ２０６において、現在時刻がライセンスの有効期限を過ぎていないとき（ステップＳ２０６で、Ｎｏと判断されたとき）には、制御部１０３はその映像コンテンツを正常に再生させるように制御する。
【００９９】
また、ダウンロードが中断した状態が解消された際に、ＳＤカード１０９内のコンテンツ格納部１１３に格納されている映像コンテンツが、ダウンロード途中の映像コンテンツであるかを判断するようにしてもよい。例えば、電源断によりダウンロードが中断した際には、再度電源が投入された際にチェックさせ、別アプリケーションの起動が原因でダウンロードが中断した際には、映像受信端末１００のＣＰＵ負荷が所定値以下となった際にチェックさせるなどとしてもよい。
【０１００】
また、記録途中であった不要な映像コンテンツが格納されているＳＤカード１０９が映像再生端末１４０に挿入された場合も、従来からの映像再生端末１４０が備えている機能である、図６に示した映像コンテンツのライセンスの有効／無効の判断処理によって不要な映像コンテンツが削除される。
【０１０１】
すなわち、映像再生端末１４０において、ＳＤカード１０９内のコンテンツ格納部１１３に格納されている映像コンテンツの再生指示がされた場合、その映像コンテンツが記録途中のものであった場合には、図６のステップＳ２１０において、時刻比較部１４３は、ライセンス格納部１１０に格納されているダミーライセンスの有効期限を現在時刻と比較することになる。ダミーライセンスの有効期限には過去の時刻が設定されているので、ステップＳ２１１では、現在時刻が有効期限を過ぎていると判断され、その結果、ＳＤカード１０９に格納されている記録途中であった不要な映像コンテンツが削除されることになる（ステップＳ２１２）。
【０１０２】
なお、ここでは、映像コンテンツの再生指示を受けた場合に図６の処理を行なうこととしたが、映像再生端末１４０にＳＤカード１０９が挿入された際に、映像コンテンツ再生（ステップＳ２１３）以外の同様の処理、すなわちステップＳ２１０〜ステップＳ２１２の処理を行なわせ、有効期限が過ぎていると判断した映像コンテンツを削除させるようにしてもよい。
【０１０３】
このように、ＳＤカード１０９などのリムーバブルメディアに記録した映像コンテンツを持ち出して再生するような携帯端末などの従来の映像再生端末１４０の機能によって、ゴミファイルである記録途中の映像コンテンツのデータを削除させることができる。
【０１０４】
以上の処理により、他の端末においてダウンロードが途中で終了してＳＤカード１０９に残った記録途中の映像コンテンツなどのゴミファイルを、映像受信端末１００および映像再生端末１４０は自動的に削除することになり、ゴミファイルが残るという問題を解消することができる。
【０１０５】
また、本実施の形態１では、映像配信サーバ１２０に格納されている映像コンテンツを、ダウンロードして映像受信端末１００に挿入されているＳＤカード１０９に直接エキスポートするケースで説明したが、本発明は、映像受信端末１００内に格納されている映像コンテンツをＳＤカード１０９などのリムーバブルメディアにエキスポートする際にも適用でき、また、映像配信サーバ１２０に格納されている映像コンテンツをダウンロードして、映像受信端末１００に内蔵されたＨＤＤなどの固定メディアに記録する際にも適用できることは言うまでもない。
【０１０６】
また、本実施の形態１では、本発明の可搬型記録メディアの一例としてＳＤカード１０９を用いることとしたが、ＳＤカード以外のメモリカードや、ＤＶＤやＢｌｕ−ｒａｙディスクなど、その他の可搬型記録メディアを用いてもよい。
【０１０７】
以上に説明したように、本発明を用いることにより、映像コンテンツのダウンロードが中断した場合に残る不要な映像コンテンツを適切に削除することができるので、記録メディア容量の圧迫解消や、悪意のあるユーザや端末からのデータ解析を防止することができる。
【０１０８】
なお、本発明の構成は、ソフトウェア的に実現しても良いし、ハードウェア的に実現しても良い。
【０１０９】
例えば、制御部１０３やダミーライセンス作成・保存部１０５などは、ハードウェアで実現させるよりも、プログラムをＣＰＵに実行させてソフトウェアで実現させることにより、ライセンスのフォーマット変更や新たな形式の映像コンテンツの追加などに容易に対応できる。
【０１１０】
なお、本発明の記録媒体は、上述したコンテンツの記録方法の、有効期限を過去としたダミーライセンスを生成する前記ダミーライセンス生成ステップ、前記コンテンツを前記メディアに記録する際に、前記ダミーライセンスを前記メディアに記録する前記ダミーライセンス記録ステップ、前記コンテンツの前記メディアへの記録が完了した際、前記メディアに記録した前記ダミーライセンスを削除するとともに、前記コンテンツに対する正当なライセンスを前記メディアに記録する前記ライセンス記録ステップの動作をコンピュータにより実行させるためのプログラムを記録した記録媒体であり、コンピュータにより読み取り可能かつ、読み取られた前記プログラムが前記コンピュータと協働して利用される記録媒体である。
【０１１１】
また、本発明の上記「ステップの動作」とは、前記ステップの全部または一部の動作を意味する。
【０１１２】
また、本発明の記録媒体に記録したプログラムの一利用形態は、コンピュータにより読み取り可能な、ＲＯＭ等の記録媒体に記録され、コンピュータと協働して動作する態様であっても良い。
【０１１３】
また、本発明の記録媒体に記録したプログラムの一利用形態は、インターネット等の伝送媒体、光・電波等の伝送媒体中を伝送し、コンピュータにより読みとられ、コンピュータと協働して動作する態様であっても良い。
【産業上の利用可能性】
【０１１４】
本発明にかかるコンテンツ記録端末、コンテンツ記録再生システムおよびコンテンツの記録方法などは、映像コンテンツの記録メディアへの記録処理が中断した場合でも、記録途中のゴミファイルを適切に削除することができる効果を有し、映像配信サーバから映像コンテンツをダウンロードする機能、またはダウンロードした映像コンテンツをリムーバブルメディアにエキスポートする機能を有するコンテンツ記録端末、コンテンツ記録再生システムおよびコンテンツの記録方法などとして有用である。
【符号の説明】
【０１１５】
１００  映像受信端末
１０１  データ取得送信部
１０２  ネットワークＩ／Ｆ部
１０３  制御部
１０４  ライセンス保存部
１０５  ダミーライセンス作成・保存部
１０６  表示部
１０７  ユーザ操作受付部
１０８  受信バッファ
１０９  ＳＤカード
１１０  ライセンス格納部
１１１  時刻比較部
１１２  ＳＤカード読み書き部
１１３  コンテンツ格納部
１２０  映像配信サーバ
１３０  映像コンテンツ名
１３１  映像コンテンツ詳細
１３２  映像コンテンツダウンロード実行ボタン
１４０  映像再生端末
１４１  再生制御部
１４２  ＳＤカード読み書き部
１４３  時刻比較部
１４４  表示部
１４５  ユーザ操作受付部
２００  映像受信端末
２０１  ＨＤＤ
２０２  ディスプレイ
２０３  リムーバブルメディア
２１０  映像配信サーバ
３０１  ダウンロード希望コンテンツ選択
３０２  コンテンツ詳細画面取得要求
３０３  コンテンツ詳細画面生成
３０４  コンテンツ詳細画面応答
３０５  コンテンツ詳細画面表示
３０６  ダウンロード実行
３０７  コンテンツダウンロード要求
３０８  コンテンツ購入確定処理
３０９  コンテンツダウンロード応答
３１０  正式ライセンス退避
３１１  ダミーライセンス生成
３１２  ダミーライセンス格納
３１３  コンテンツデータダウンロード
３１４  コンテンツエキスポート
３１５  正式ライセンス書き込み
【図１】
2011135642.tif 000003
【図２】
2011135642.tif 000004
【図３】
2011135642.tif 000005
【図４】
2011135642.tif 000006
【図５】
2011135642.tif 000007
【図６】
2011135642.tif 000008
【図７】
2011135642.tif 000009
【図８】
2011135642.tif 000010
【手続補正書】
【提出日】平成24年10月10日(2012.10.10)
【手続補正１】
【補正対象書類名】明細書
【補正対象項目名】全文
【補正方法】変更
【補正の内容】
【発明の詳細な説明】
【技術分野】
【０００１】
本発明は、映像・音声コンテンツなどを映像受信端末に接続されたメディアに格納する、コンテンツ記録端末、コンテンツ記録再生システムおよびコンテンツの記録方法等に関する。
【背景技術】
【０００２】
近年、通信ネットワーク（通信回線）を用いた映像配信サービスが盛んになりつつある。映像コンテンツなどを配信するための映像配信サーバ、インターネットなどの宅外ネットワークと宅内ネットワークで構成される通信ネットワーク、および宅内ネットワークに接続された映像受信端末装置（以下、映像受信端末と称す）などで構成される映像配信システムにおいて、ユーザは、映像を視聴するための端末である映像受信端末を操作することにより、通信事業者や映像配信事業者の映像配信サーバで提供される、ＶＯＤ（Ｖｉｄｅｏ  Ｏｎ  Ｄｅｍａｎｄ）サービスや、ＩＰ（Ｉｎｔｅｒｎｅｔ  Ｐｒｏｔｏｃｏｌ）放送および映像ダウンロードサービスなどを利用することが可能となってきた。
【０００３】
図８に、従来の映像ダウンロードサービスにおける映像コンテンツの処理内容を説明する図を示す。
【０００４】
従来の映像ダウンロードサービスでは、図８に示すように、映像受信端末２００は、映像配信サーバ２１０から映像コンテンツをダウンロードして、内蔵されたＨＤＤ２０１内に蓄積する。
【０００５】
そして、映像受信端末２００は、その映像コンテンツを購入した際に取得した視聴ライセンスによりその映像コンテンツの再生が許可され、ＨＤＤ２０１に蓄積した映像コンテンツを復号化して出力することが可能となり、接続されたディスプレイ２０２などに出力させて視聴することができる。また、その映像コンテンツを他のメディアに書き込むことが許可されている場合には、ＨＤＤ２０１に蓄積した映像コンテンツを復号化し、エキスポート用の暗号化をした後、リムーバブルメディア２０３に書き込むこともできる。
【０００６】
映像ダウンロードサービスを利用する際、映像コンテンツの管理を行う必要がある。
【０００７】
例えば、映像コンテンツを配信する映像配信サーバ２１０側は、映像受信端末２００に映像コンテンツの再生を許可するために、映像コンテンツを正しくダウンロードできているか把握する必要がある。また、レンタルサービスなどの視聴期間が限られている映像コンテンツに関しては、視聴期限が過ぎたら速やかにその映像コンテンツを削除するように映像受信端末２００側で対応されている。
【０００８】
このように映像コンテンツの管理を適切に行うことで、サービス事業者、ユーザの権利を守ることが可能となる。
【０００９】
映像コンテンツの管理を適切に行うために、ダウンロードサービス実施前に、映像受信端末が視聴ライセンスとは別のライセンスを映像配信サーバから取得することで、映像配信サーバが映像コンテンツのダウンロード完了を確認する方法が開示されている（例えば、特許文献１参照）。
【００１０】
特許文献１における映像コンテンツのダウンロード完了の確認方法は、まず映像コンテンツのダウンロード開始前に視聴ライセンスと異なる別のライセンスを取得する。このライセンスの有効期限は、十分短時間に設定されているので、映像コンテンツの再生には利用できないようになっている。映像受信端末は映像コンテンツのダウンロードが完了すると、このライセンスを使用し、サービス事業者のＤＲＭ（Ｄｉｇｉｔａｌ  Ｒｉｇｈｔｓ  Ｍａｎａｇｅｍｅｎｔ）サーバへ視聴ライセンスの取得要求を行う。ＤＲＭサーバはこの視聴ライセンス取得要求により、映像受信端末が映像コンテンツのダウンロードを完了したことを把握する。
【００１１】
以上のようにして、サーバ側における、映像コンテンツのダウンロード完了の確認を実現していた。
【先行技術文献】
【特許文献】
【００１２】
【特許文献１】国際公開第２００８／１４６９１３号
【発明の概要】
【発明が解決しようとする課題】
【００１３】
しかしながら、従来のダウンロードサービスでは、映像コンテンツのダウンロードが中断した場合に、映像受信端末で記録している記録メディア内に、途中までダウンロードされた映像コンテンツが残ってしまうという問題があった。
【００１４】
映像コンテンツのダウンロードは、中断する可能性が高い。この中断する原因には電源断などの外的要因や、別アプリケーションの起動などの内的要因が考えられる。
【００１５】
このような原因によりダウンロードが不意に中断した場合は、映像受信端末側の記録メディアであるＨＤＤやリムーバブルメディアに、途中までダウンロードされた映像コンテンツが残っている。このような映像コンテンツはいわゆるゴミファイルとして記録メディア内に残ってしまう可能性がある。
【００１６】
このようなゴミファイルは、記録メディアの容量を圧迫するだけでなく、悪意のあるユーザや端末に映像コンテンツの解析を行わせる機会を与えることにもなる。特許文献１の映像コンテンツのダウンロード完了確認方法において使用されるライセンスは、ダウンロードの完了を管理する目的で使用するため、有効期限が短く設定されている。そのためライセンスの有効期限が切れても、映像受信端末によってはライセンスのみを削除し、映像コンテンツのデータがそのまま残されてしまう可能性がある。
【００１７】
特にリムーバブルメディアへ記録していた場合には、他の端末への持ち運びが容易なので、悪意のあるユーザに映像コンテンツを解析され易くなる。
【００１８】
本発明は、このような課題を鑑みてなされたものであり、映像コンテンツの記録メディアへの記録処理が中断した場合でも、記録途中のゴミファイルを適切に削除することができる、コンテンツ記録端末、コンテンツ記録再生システムおよびコンテンツの記録方法等を提供することを目的とする。
【課題を解決するための手段】
【００１９】
上述した課題を解決するために、第１の本発明は、
コンテンツをメディアに記録するコンテンツ書き込み部と、
有効期限を過去としたダミーライセンスを生成し保持するダミーライセンス生成部と、
前記ダミーライセンスを前記メディアに書き込み、また前記メディアからダミーライセンスを削除するダミーライセンス記録削除部と、
前記コンテンツに対する正当なライセンスを前記メディアに書き込む正当ライセンス記録部と、
前記コンテンツ書き込み部が前記コンテンツを前記メディアに記録する際に、前記ダミーライセンス記録削除部によって前記ダミーライセンスを前記メディアへ記録させ、前記コンテンツ書き込み部による前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる制御部と、を備えたコンテンツ記録端末である。
【００２０】
また、第２の本発明は、
前記制御部は、
前記コンテンツ書き込み部による前記コンテンツの前記メディアへの記録が完了せずに終わった場合に前記記録を再開させる際、その再開しようとする対象のメディアに記録されているライセンスが前記ダミーライセンスであれば、前記コンテンツ書き込み部によって前記コンテンツの前記メディアへの記録を継続させ、その後、前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる、第１の本発明のコンテンツ記録端末である。
【００２１】
また、第３の本発明は、
前記メディアに記録された前記コンテンツを削除するコンテンツ削除部を備え、
前記制御部は、前記コンテンツ書き込み部による前記コンテンツの前記メディアへの記録が完了せずに終わった場合に前記記録を再開させる際、その再開しようとする対象のメディアに記録されているライセンスが前記ダミーライセンスでなければ、前記コンテンツ削除部および前記ダミーライセンス記録削除部によって、前記メディアに記録されている前記コンテンツおよび前記ライセンスを削除させる、第１または第２の本発明のコンテンツ記録端末である。
【００２２】
また、第４の本発明は、
前記有効期限を過去としたライセンスには、前記コンテンツ記録端末を識別する情報が含まれている、第１〜第３のいずれかの本発明のコンテンツ記録端末である。
【００２３】
また、第５の本発明は、
少なくとも前記コンテンツの前記メディアへの記録開始前に、前記正当なライセンスを取得し、前記正当なライセンスを前記メディアに記録するまで保持するライセンス保存部を備えた、第１〜第４のいずれかの本発明のコンテンツ記録端末である。
【００２４】
また、第６の本発明は、
前記コンテンツを前記メディアに記録する際に、前記コンテンツをネットワークを介して取得するコンテンツ取得部を備え、
前記メディアは、前記コンテンツ記録端末に内蔵された固定メディアである、第１〜第５のいずれかの本発明のコンテンツ記録端末である。
【００２５】
また、第７の本発明は、
前記メディアは、可換型記録メディアである、第１〜第５のいずれかの本発明のコンテンツ記録端末である。
【００２６】
また、第８の本発明は、
コンテンツをメディアに記録するコンテンツ書き込み部と、
有効期限を過去としたダミーライセンスを生成し保持するダミーライセンス生成部と、
前記ダミーライセンスを前記メディアに書き込み、また前記メディアからダミーライセンスを削除するダミーライセンス記録削除部と、
前記コンテンツに対する正当なライセンスを前記メディアに書き込む正当ライセンス記録部と、
前記コンテンツ書き込み部が前記コンテンツを前記メディアに記録する際に、前記ダミーライセンス記録削除部によって前記ダミーライセンスを前記メディアへ記録させ、前記コンテンツ書き込み部による前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる制御部と、
を有するコンテンツ記録端末と、
前記メディアに記録されたコンテンツおよびライセンスを読み込み、また前記メディアに記録されているコンテンツおよびライセンスを削除するコンテンツ読み込み削除部と、
前記コンテンツ読み込み削除部によって読み込まれたライセンスの有効期限が超過しているか判定する有効期限判定部と、
前記読み込まれたライセンスの有効期限が超過していない場合には、前記メディアに記録されたコンテンツを再生させ、前記読み込まれたライセンスの有効期限が超過している場合には、前記メディアに記録されたコンテンツおよびライセンスをコンテンツ読み込み削除部によって削除させる再生制御部と、
を有するコンテンツ再生端末と、
を備えたコンテンツ記録再生システムである。
【００２７】
また、第９の本発明は、
コンテンツをメディアに記録するコンテンツ記録端末におけるコンテンツの記録方法であって、
前記コンテンツを前記メディアに記録するコンテンツ記録ステップと、
有効期限を過去としたダミーライセンスを生成するダミーライセンス生成ステップと、
前記コンテンツを前記メディアに記録する際に、前記ダミーライセンスを前記メディアに記録するダミーライセンス記録ステップと、
前記コンテンツの前記メディアへの記録が完了した際、前記メディアに記録した前記ダミーライセンスを削除するとともに、前記コンテンツに対する正当なライセンスを前記メディアに記録するライセンス記録ステップと、を備えたコンテンツの記録方法である。
【００２８】
また、第１０の本発明は、
前記コンテンツの前記メディアへの記録が完了せずに終わった場合に前記記録を再開する際、その再開しようとする対象のメディアに記録されているライセンスが前記ダミーライセンスであれば、前記コンテンツの前記メディアへの記録を継続し、その後、前記コンテンツの前記メディアへの記録が完了した際、前記メディアに記録した前記ダミーライセンスを削除するとともに前記正当なライセンスを前記メディアに記録するコンテンツ記録継続ステップを備えた、第９の本発明のコンテンツの記録方法である。
【００２９】
また、第１１の本発明は、
前記コンテンツ記録継続ステップは、前記コンテンツの前記メディアへの記録が完了せずに終わった場合に前記記録を再開する際、その再開しようとする対象のメディアに記録されているライセンスが前記ダミーライセンスでなければ、前記メディアに記録されている前記コンテンツおよび前記ライセンスを削除する、第９または第１０の本発明のコンテンツの記録方法である。
【００３０】
また、第１２の本発明は、
第９の本発明のコンテンツの記録方法の、有効期限を過去としたダミーライセンスを生成する前記ダミーライセンス生成ステップ、前記コンテンツを前記メディアに記録する際に、前記ダミーライセンスを前記メディアに記録する前記ダミーライセンス記録ステップ、前記コンテンツの前記メディアへの記録が完了した際、前記メディアに記録した前記ダミーライセンスを削除するとともに、前記コンテンツに対する正当なライセンスを前記メディアに記録する前記ライセンス記録ステップ、をコンピュータに実行させるプログラムを記録した記録媒体であって、コンピュータにより処理可能な記録媒体である。
【発明の効果】
【００３１】
本発明により、映像コンテンツの記録メディアへの記録処理が中断した場合でも、記録途中のゴミファイルを適切に削除することができる、コンテンツ記録端末、コンテンツ記録再生システムおよびコンテンツの記録方法等を提供できる。
【図面の簡単な説明】
【００３２】
【図１】本発明の実施の形態１の映像受信端末の構成を示すブロック図
【図２】本発明の実施の形態１における、映像コンテンツのダウンロード時の映像受信端末および映像配信サーバにおける動作および通信シーケンスを示した図
【図３】本発明の実施の形態１の、映像受信端末における映像コンテンツのダウンロードを行う手順を示すフローチャート
【図４】本発明の実施の形態１の、映像コンテンツの詳細画面の表示例を示す図
【図５】本発明の実施の形態１の映像再生端末の構成を示すブロック図
【図６】本発明の実施の形態１の映像再生端末における、映像コンテンツの再生指示を受けた際の、ライセンス判定処理のフローチャート
【図７】本発明の実施の形態１の映像受信端末における、ＳＤカード内の映像コンテンツが、ダウンロード途中の映像コンテンツであるかを判断する手順を示すフローチャート
【図８】従来の映像ダウンロードサービスにおける映像コンテンツの処理内容を説明するための図
【発明を実施するための形態】
【００３３】
以下に、本発明を実施するための形態について、図面を参照しながら説明する。
【００３４】
（実施の形態１）
図１は、本発明の実施の形態１のコンテンツ利用システムにおける映像受信端末の構成を示すブロック図である。
【００３５】
図１において、本実施の形態１の映像受信端末１００は、データ取得送信部１０１、ネットワークＩ／Ｆ部１０２、制御部１０３、ライセンス保存部１０４、ダミーライセンス作成・保存部１０５、表示部１０６、ユーザ操作受付部１０７、受信バッファ１０８、時刻比較部１１１、ＳＤカード読み書き部１１２を備えており、ダウンロードが中断した際に、記録メディア（ＳＤカード１０９）内のゴミファイルを適切に削除する機能を有する。
【００３６】
また、映像受信端末１００には、ＳＤカード１０９が挿入され、映像コンテンツやライセンスなどをＳＤカード１０９に記録し、また読み出す。
【００３７】
なお、映像受信端末１００でダウンロードおよび記録する映像コンテンツが、本発明のコンテンツの一例にあたり、映像受信端末１００が、本発明のコンテンツ受信端末の一例にあたる。また、データ取得送信部１０１が、本発明のコンテンツ取得部の一例にあたり、ダミーライセンス作成・保存部１０５が、本発明のダミーライセンス生成部の一例にあたる。また、制御部１０３によって制御されるＳＤカード読み書き部１１２が、本発明の、コンテンツ書き込み部、ダミーライセンス記録削除部、および正当ライセンス記録部のそれぞれの一例にあたる。また、ＳＤカード１０９が、本発明の可搬型記録メディアの一例にあたる。
【００３８】
なお、映像受信端末１００は、通信事業者や映像配信事業者などが提供するダウンロードサービスにおける映像コンテンツや、映像受信端末内に保存された映像コンテンツを、記録メディアにダウンロード、またはエキスポートする機能を有する映像受信端末であり、このような映像受信端末１００としては、デジタルテレビ、セットトップボックスおよびパーソナルコンピュータ等が考えられるが、これらに限定されるものではない。
【００３９】
図１において破線で示す矢印は、映像コンテンツおよびライセンスなどのデータの流れを示しており、実線で示す矢印は、制御情報などの、データ以外の情報の流れを示している。
【００４０】
ネットワークＩ／Ｆ部１０２は、外部通信ネットワークを介して、通信事業者や映像配信事業者などが提供する映像配信サーバ１２０に接続されている。
【００４１】
データ取得送信部１０１は、ネットワークＩ／Ｆ部１０２を介して映像配信サーバ１２０から送信されるＨＴＭＬコンテンツ、映像コンテンツ、および映像コンテンツに紐付いたライセンスを受信し、また、制御部１０３から指示されるデータをネットワークＩ／Ｆ部１０２を介して映像配信サーバ１２０へ送信する。
【００４２】
制御部１０３は、映像受信端末１００内の各操作における制御を行う。
【００４３】
ライセンス保存部１０４は、ネットワークＩ／Ｆ部１０２を介して映像配信サーバ１２０から送信される、映像コンテンツに紐付いたライセンスを格納しておく。
【００４４】
ダミーライセンス作成・保存部１０５は、制御部１０３の要求に従い、ライセンス保存部１０４に格納されているライセンスと異なる、映像コンテンツを再生できないダミーライセンスを作成し、保存する。
【００４５】
表示部１０６は、制御部１０３より表示要求のあったデータを表示し、ユーザに提示する。
【００４６】
ユーザ操作受付部１０７は、ユーザのリモコン操作などによる外部からの映像コンテンツダウンロード要求、または映像コンテンツの詳細情報取得要求を受け付け、その受け付けた映像コンテンツダウンロード要求、または映像コンテンツの詳細情報取得要求を制御部１０３へ送信する。
【００４７】
受信バッファ１０８は、ダウンロード中の映像コンテンツを一時記録するバッファであり、ＲＡＭなどが使用される。
【００４８】
時刻比較部１１１は、現在時刻を取得する機能を有し、現在時刻とライセンスの有効期限を比較し、ライセンスの有効・無効を判定する。
【００４９】
ＳＤカード読み書き部１１２は、制御部１０３からの指示に従って、映像コンテンツやライセンスなどのデータを、映像受信端末１００に挿入されたＳＤカード１０９に書き込み、また削除する。
【００５０】
ＳＤカード１０９のコンテンツ格納部１１３には、映像コンテンツが格納され、ライセンス格納部１１０には、ＳＤカード１０９に格納された映像コンテンツに紐付けられたライセンスおよびダミーライセンスが格納される。
【００５１】
次に、映像受信端末１００における映像コンテンツのダウンロード方法の実行手順について説明する。
【００５２】
ここでは、本実施の形態１の実行手順の例として、映像受信端末１００がダウンロードする映像コンテンツを、映像受信端末１００に挿入されているＳＤカード１０９に直接記録する直接エキスポート処理の場合について説明する。
【００５３】
なお、映像配信サーバ１２０からダウンロードする映像コンテンツはＤＲＭで暗号化されており、その映像コンテンツをＳＤカード１０９に記録するために、ＤＲＭの暗号を復号して、ＳＤカード用のＣＰＳであるＣＰＲＭ形式などに再暗号化してＳＤカード１０９に記録するが、図１では、これらの復号および再暗号化する処理を示すブロックの記載は省略している。
【００５４】
まず、図１〜図４を用いて映像受信端末１００における映像コンテンツのダウンロード方法について説明する。
【００５５】
図２は、映像コンテンツのダウンロード時の映像受信端末１００および映像配信サーバ１２０における動作および通信シーケンスを示している。
【００５６】
図３は、映像受信端末１００における映像コンテンツのダウンロード手順を示すフローチャートである。
【００５７】
図４は、映像コンテンツダウンロード時における表示部１０６によって表示される映像コンテンツの詳細を表す画面表示例を示している。この画面は、ユーザのリモコンなどの操作により映像配信サーバ１２０からＨＴＭＬなどのデータを受信し、そのＨＴＭＬデータに従って制御部１０３が表示部１０６によって表示させるものである。
【００５８】
表示部１０６によって表示される映像配信サーバ１２０が提供する映像コンテンツを選択する画面を見て、ユーザが希望する映像コンテンツの詳細画面取得操作を行うと、ユーザ操作受付部１０７は、ユーザからのダウンロード希望コンテンツ選択指示３０１を受け取り、制御部１０３に送信する。制御部１０３は、データ取得送信部１０１によってコンテンツ詳細画面取得要求３０２を映像配信サーバ１２０へ送信させる。映像配信サーバ１２０は、コンテンツ詳細画面取得要求３０２に従い、該当する映像コンテンツの詳細画面を生成３０３し、コンテンツ詳細画面応答３０４として映像受信端末１００へ送信する。映像受信端末１００の制御部１０３は、データ取得送信部１０１からコンテンツ詳細画面応答３０４を受け取ると、表示部１０６によって、図４に示すようなコンテンツ詳細画面を表示３０５させる（ステップＳ１０１）。
【００５９】
ユーザは、図４で示される映像コンテンツ名１３０や映像コンテンツ詳細１３１によって、映像コンテンツのあらすじや、価格などの映像コンテンツの情報を確認し、画面上の映像コンテンツダウンロード実行ボタン１３２を押下する（ステップＳ１０２）。
【００６０】
次にユーザ操作受付部１０７は、ユーザからの映像コンテンツのダウンロード実行要求３０６を受け取り、制御部１０３に送信する。制御部１０３は、データ取得送信部１０１によってコンテンツダウンロード要求３０７を映像配信サーバ１２０へ送信させる（ステップＳ１０３）。映像配信サーバ１２０は、コンテンツダウンロード要求３０７に従い、コンテンツ購入確定処理３０８を行う。
【００６１】
そして、映像配信サーバ１２０は、映像受信端末１００へ、映像コンテンツと映像コンテンツに紐付いたライセンスを送信する。
【００６２】
まず、映像配信サーバ１２０は、映像受信端末１００からのコンテンツダウンロード要求３０７に対するコンテンツダウンロード応答３０９を返す。このとき映像配信サーバ１２０は、コンテンツダウンロード応答３０９とともに、ライセンスを返す。今後の説明を簡単にするために、このライセンスのことを正式ライセンスと呼ぶことにする。コンテンツダウンロード応答３０９を受信した映像受信端末１００の制御部１０３は、データ取得送信部１０１から受け取った正式ライセンスをライセンス保存部１０４に退避３１０する（ステップＳ１０４）。
【００６３】
そして、制御部１０３は、ダミーライセンス作成・保存部１０５へ、ダミーライセンス生成要求を送信する。ダミーライセンス作成・保存部１０５は、制御部１０３からのダミーライセンス生成要求に従い、ダミーライセンスを生成３１１する。このとき、生成されるダミーライセンスの有効期限は、現在時刻よりも過去に設定される。
【００６４】
ダミーライセンス作成・保存部１０５は、生成したダミーライセンスを自身に保存しておくとともに、ＳＤカード読み書き部１１２によってＳＤカード１０９内のライセンス格納部１１０へ格納３１２する（ステップＳ１０５）。なお、ダミーライセンスには、映像受信端末１００自身を他の端末と識別できる端末ＩＤなどの情報が含まれている。
【００６５】
映像配信サーバ１２０からコンテンツデータダウンロード３１３によって受信される映像コンテンツのデータは、受信バッファ１０８を経由して、ＳＤカード読み書き部１１２によってＳＤカード１０９へエキスポート３１４され、ＳＤカード１０９内のコンテンツ格納部１１３に格納される。
【００６６】
映像コンテンツのダウンロードが完了した場合、制御部１０３は、ライセンス保存部１０４に退避させていた正式ライセンスを、ＳＤカード１０９内のライセンス格納部１１０へ書き込ませる３１５ことで、ダミーライセンスを上書きさせる。また、制御部１０３は、ダミーライセンス作成・保存部１０５に保存させていたダミーライセンスを削除する（ステップＳ１０６）。
【００６７】
以上の処理により、映像コンテンツが映像配信サーバ１２０からダウンロードされて、ＳＤカード１０９に記録される。
【００６８】
なお、上記では、映像コンテンツのダウンロードを開始する際に、映像配信サーバ１２０から正式ライセンスを取得することとしたが、映像コンテンツをＳＤカード１０９へ記録開始する前であれば、映像コンテンツを購入した直後など、事前に正式ライセンスを取得しておいてもよい。
【００６９】
また、上記では、正式ライセンスを映像配信サーバ１２０から取得することとしたが、それ以外の方法で、例えばリムーバブルメディアなどから読み込むなどして正式ライセンスを取得するようにしてもよい。
【００７０】
次に、上記のようにして映像受信端末１００によってＳＤカード１０９に書き出した映像コンテンツを持ち出して、携帯端末などの他の映像再生端末で再生する際の処理手順について説明する。
【００７１】
図５は、ＳＤカード１０９に格納された映像コンテンツを再生する、携帯端末などの映像再生端末の構成を示すブロック図である。図５に示す映像再生端末１４０は、本願特有の構成のものではなく、従来から用いられている一般的な構成の映像再生端末である。
【００７２】
図５においても図１と同様に、映像コンテンツおよびライセンスなどのデータの流れを破線の矢印で示し、制御情報などの、データ以外の情報の流れを実線の矢印で示している。
【００７３】
再生制御部１４１は、映像再生端末１４０で映像コンテンツを再生する際の制御を行う。
【００７４】
表示部１４４は、再生制御部１４１から出力される映像コンテンツの再生データを表示し、ユーザに提示する。
【００７５】
ユーザ操作受付部１４５は、ユーザのボタン操作などによる映像コンテンツの一覧表示指示、選択された映像コンテンツの再生指示などを受け付け、その受け付けたユーザの指示情報を再生制御部１４１へ送信する。
【００７６】
時刻比較部１４３は、現在時刻を取得する機能を有し、現在時刻とライセンスの有効期限を比較し、ライセンスの有効・無効を判定する。
【００７７】
ＳＤカード読み書き部１４２は、再生制御部１４１からの指示に従って、映像コンテンツやライセンスなどのデータを、映像再生端末１４０に挿入されたＳＤカード１０９から読み込み、また削除する。
【００７８】
なお、映像再生端末１４０が、本発明のコンテンツ再生端末の一例にあたる。また、ＳＤカード読み書き部１４２が、本発明のコンテンツ読み込み削除部の一例にあたり、時刻比較部１４３が、本発明の有効期限判定部の一例にあたる。
【００７９】
次に、図５および図６を用いて、映像再生端末１４０における、ＳＤカード１０９に格納された映像コンテンツの再生方法について説明する。
【００８０】
図６は、ユーザのボタン操作などにより、ＳＤカード１０９内のコンテンツ格納部１１３に格納されている映像コンテンツの再生指示を受けた際の、その映像コンテンツのライセンスが有効であるかを判断するフローチャートである。
【００８１】
ＳＤカード１０９に格納されている映像コンテンツに対するユーザからの再生指示がユーザ操作受付部１４５によって受け付けられ、再生制御部１４１へ通知されると、再生制御部１４１は、コンテンツ格納部１１３に格納されている映像コンテンツに紐付けられたライセンスをライセンス格納部１１０から参照し、時刻比較部１４３に対してライセンスの有効期限比較要求を行う（ステップＳ２１０）。
【００８２】
このとき時刻比較部１４３は、現在時刻を取得し、ライセンス格納部１１０から参照したライセンスの有効期限が過ぎているか確認する。
【００８３】
ステップＳ２１１において、現在時刻がライセンスの有効期限を過ぎているとき、再生制御部１４１は、そのライセンスに対応する映像コンテンツを、ＳＤカード読み書き部１４２によってコンテンツ格納部１１３から削除させる（ステップＳ２１２）。またこのとき、再生制御部１４１は、ライセンス格納部１１０に格納されているその有効期限が過ぎたライセンスも削除させる。
【００８４】
ステップＳ２１１において、現在時刻がライセンスの有効期限を過ぎていないとき、再生制御部１４１はその映像コンテンツを正常に再生して表示部１４４に表示させる（ステップＳ２１３）。
【００８５】
次に、図１および図７を用いて、映像受信端末１００において映像コンテンツのＳＤカード１０９へのエキスポート中にダウンロードが中断した場合の、不要な映像コンテンツの削除方法、およびダウンロードの継続方法について説明する。
【００８６】
映像コンテンツのダウンロードが中断した場合とは、図２のコンテンツエキスポート３１４の実行中に処理が中断したような場合であり、図３のステップＳ１０５の処理が行なわれた後、ステップＳ１０６の処理がまだ行なわれていない状態となる。
【００８７】
ダウンロードが中断したため、ＳＤカード１０９のコンテンツ格納部１１３には、ダウンロード途中の映像コンテンツのデータが格納されており、またライセンス格納部１１０とダミーライセンス作成・保存部１０５にはダミーライセンスが格納されている状態となっている。
【００８８】
図７は、、映像受信端末１００において、ＳＤカード１０９内のコンテンツ格納部１１３に格納されている映像コンテンツが、ダウンロード途中の映像コンテンツであるか、ライセンスが有効である映像コンテンツであるかを判断するフローチャートである。
【００８９】
まず、映像受信端末１００は、ＳＤカード１０９が挿入されると、制御部１０３が、コンテンツ格納部１１３に格納されている映像コンテンツに紐付けられたライセンスをライセンス格納部１１０から参照する。そして、その参照したライセンスが、ダミーライセンス作成・保存部１０５にも格納されているか確認する（ステップＳ２０１）。
【００９０】
ダミーライセンス作成・保存部１０５にも同一のライセンスが格納されていた場合、すなわちライセンス格納部１１０から参照したライセンスが、映像受信端末１００自身が記録したダミーライセンスであった場合には、制御部１０３は、コンテンツ格納部１１３に格納されている映像コンテンツは、映像受信端末１００自身によりダウンロードが途中までなされていたものであると判断し、その映像コンテンツのダウンロードを再開させ、継続してその映像コンテンツのデータをコンテンツ格納部１１３に記録させる（ステップＳ２０２）。
【００９１】
ステップＳ２０１において、参照したライセンスと同一のダミーライセンスがダミーライセンス作成・保存部１０５に格納されていない場合、次に制御部１０３は、時刻比較部１１１に対してライセンスの有効期限比較要求を行う（ステップＳ２０３）。
【００９２】
このとき時刻比較部１１１は、現在時刻を取得し、ライセンス格納部１１０から参照したライセンスの有効期限が過ぎているか確認する。現在時刻の取得方法は、ＮＴＰ（Ｎｅｔｗｏｒｋ  Ｔｉｍｅ  Ｐｒｏｔｏｃｏｌ）サーバへのアクセスや、デジタル放送のＴＯＴ取得などが考えられるが、これらに限定されるものではない。
【００９３】
ステップＳ２０６において現在時刻がライセンスの有効期限を過ぎているとき、制御部１０３は、そのライセンスに対応するコンテンツ格納部１１３に格納されている映像コンテンツを、ＳＤカード読み書き部１１２によって削除させる（ステップＳ２０４）。またこのとき、制御部１０３は、ライセンス格納部１１０に格納されているその有効期限が過ぎたライセンスも削除させる。
【００９４】
ライセンスの有効期限が過ぎている映像コンテンツには、レンタルサービスにて提供される映像コンテンツのように正常に有効期限が切れたものもあれば、前述のようなダウンロードが中断したためにコンテンツ格納部１１３へ記録途中だった映像コンテンツも含まれる。すなわち、映像コンテンツのダウンロード開始後、完了するまでの間は、ライセンス格納部１１０には有効期限を過去に設定したダミーライセンスが格納されている（ステップＳ１０５）ので、コンテンツ格納部１１３へ記録途中だった映像コンテンツに対応するライセンスを参照した場合、このダミーコンテンツが読み出され、有効期限が切れていると判断されるからである。
【００９５】
したがって、映像受信端末１００自身以外の端末で記録途中であった映像コンテンツ、すなわち映像受信端末１００では不要な映像コンテンツについては、ライセンスの有効期限が過ぎていると判断されるので、制御部１０３は、ステップＳ２０６においてライセンスの有効期限が過ぎているか否かを判定するだけで、映像受信端末１００自身以外の端末で記録途中であった映像コンテンツも、有効期限が過ぎた不要な映像コンテンツとして判断できることになる。
【００９６】
したがって、制御部１０３は、ステップＳ２０６において、有効期限が過ぎていると判断した映像コンテンツをコンテンツ格納部１１３から削除する（ステップＳ２０４）ので、このとき、映像受信端末１００自身以外の端末で記録途中であった不要な映像コンテンツも削除されることになる。
【００９７】
ステップＳ２０６において、現在時刻がライセンスの有効期限を過ぎていないとき、制御部１０３はその映像コンテンツが「有効な映像コンテンツである」として処理を終了する。
【００９８】
なお、ここでは、映像受信端末１００にＳＤカード１０９が挿入された際に、ＳＤカード１０９内のコンテンツ格納部１１３に格納されている映像コンテンツが、ダウンロード途中の映像コンテンツであるかを判断する場合について説明したが、映像受信端末１００がＳＤカード１０９内のコンテンツ格納部１１３に格納されている映像コンテンツの再生指示を受けた際に、ダウンロード途中の映像コンテンツであるかを判断させるようにしてもよい。この場合も、図７に示したフローと同様の処理を行うが、ステップＳ２０６において、現在時刻がライセンスの有効期限を過ぎていないとき（ステップＳ２０６で、Ｎｏと判断されたとき）には、制御部１０３はその映像コンテンツを正常に再生させるように制御する。
【００９９】
また、ダウンロードが中断した状態が解消された際に、ＳＤカード１０９内のコンテンツ格納部１１３に格納されている映像コンテンツが、ダウンロード途中の映像コンテンツであるかを判断するようにしてもよい。例えば、電源断によりダウンロードが中断した際には、再度電源が投入された際にチェックさせ、別アプリケーションの起動が原因でダウンロードが中断した際には、映像受信端末１００のＣＰＵ負荷が所定値以下となった際にチェックさせるなどとしてもよい。
【０１００】
また、記録途中であった不要な映像コンテンツが格納されているＳＤカード１０９が映像再生端末１４０に挿入された場合も、従来からの映像再生端末１４０が備えている機能である、図６に示した映像コンテンツのライセンスの有効／無効の判断処理によって不要な映像コンテンツが削除される。
【０１０１】
すなわち、映像再生端末１４０において、ＳＤカード１０９内のコンテンツ格納部１１３に格納されている映像コンテンツの再生指示がされた場合、その映像コンテンツが記録途中のものであった場合には、図６のステップＳ２１０において、時刻比較部１４３は、ライセンス格納部１１０に格納されているダミーライセンスの有効期限を現在時刻と比較することになる。ダミーライセンスの有効期限には過去の時刻が設定されているので、ステップＳ２１１では、現在時刻が有効期限を過ぎていると判断され、その結果、ＳＤカード１０９に格納されている記録途中であった不要な映像コンテンツが削除されることになる（ステップＳ２１２）。
【０１０２】
なお、ここでは、映像コンテンツの再生指示を受けた場合に図６の処理を行なうこととしたが、映像再生端末１４０にＳＤカード１０９が挿入された際に、映像コンテンツ再生（ステップＳ２１３）以外の同様の処理、すなわちステップＳ２１０〜ステップＳ２１２の処理を行なわせ、有効期限が過ぎていると判断した映像コンテンツを削除させるようにしてもよい。
【０１０３】
このように、ＳＤカード１０９などのリムーバブルメディアに記録した映像コンテンツを持ち出して再生するような携帯端末などの従来の映像再生端末１４０の機能によって、ゴミファイルである記録途中の映像コンテンツのデータを削除させることができる。
【０１０４】
以上の処理により、他の端末においてダウンロードが途中で終了してＳＤカード１０９に残った記録途中の映像コンテンツなどのゴミファイルを、映像受信端末１００および映像再生端末１４０は自動的に削除することになり、ゴミファイルが残るという問題を解消することができる。
【０１０５】
また、本実施の形態１では、映像配信サーバ１２０に格納されている映像コンテンツを、ダウンロードして映像受信端末１００に挿入されているＳＤカード１０９に直接エキスポートするケースで説明したが、本発明は、映像受信端末１００内に格納されている映像コンテンツをＳＤカード１０９などのリムーバブルメディアにエキスポートする際にも適用でき、また、映像配信サーバ１２０に格納されている映像コンテンツをダウンロードして、映像受信端末１００に内蔵されたＨＤＤなどの固定メディアに記録する際にも適用できることは言うまでもない。
【０１０６】
また、本実施の形態１では、本発明の可搬型記録メディアの一例としてＳＤカード１０９を用いることとしたが、ＳＤカード以外のメモリカードや、ＤＶＤやＢｌｕ−ｒａｙディスクなど、その他の可搬型記録メディアを用いてもよい。
【０１０７】
以上に説明したように、本発明を用いることにより、映像コンテンツのダウンロードが中断した場合に残る不要な映像コンテンツを適切に削除することができるので、記録メディア容量の圧迫解消や、悪意のあるユーザや端末からのデータ解析を防止することができる。
【０１０８】
なお、本発明の構成は、ソフトウェア的に実現しても良いし、ハードウェア的に実現しても良い。
【０１０９】
例えば、制御部１０３やダミーライセンス作成・保存部１０５などは、ハードウェアで実現させるよりも、プログラムをＣＰＵに実行させてソフトウェアで実現させることにより、ライセンスのフォーマット変更や新たな形式の映像コンテンツの追加などに容易に対応できる。
【０１１０】
なお、本発明の記録媒体は、上述したコンテンツの記録方法の、有効期限を過去としたダミーライセンスを生成する前記ダミーライセンス生成ステップ、前記コンテンツを前記メディアに記録する際に、前記ダミーライセンスを前記メディアに記録する前記ダミーライセンス記録ステップ、前記コンテンツの前記メディアへの記録が完了した際、前記メディアに記録した前記ダミーライセンスを削除するとともに、前記コンテンツに対する正当なライセンスを前記メディアに記録する前記ライセンス記録ステップの動作をコンピュータにより実行させるためのプログラムを記録した記録媒体であり、コンピュータにより読み取り可能かつ、読み取られた前記プログラムが前記コンピュータと協働して利用される記録媒体である。
【０１１１】
また、本発明の上記「ステップの動作」とは、前記ステップの全部または一部の動作を意味する。
【０１１２】
また、本発明の記録媒体に記録したプログラムの一利用形態は、コンピュータにより読み取り可能な、ＲＯＭ等の記録媒体に記録され、コンピュータと協働して動作する態様であっても良い。
【０１１３】
また、本発明の記録媒体に記録したプログラムの一利用形態は、インターネット等の伝送媒体、光・電波等の伝送媒体中を伝送し、コンピュータにより読みとられ、コンピュータと協働して動作する態様であっても良い。
【産業上の利用可能性】
【０１１４】
本発明にかかるコンテンツ記録端末、コンテンツ記録再生システムおよびコンテンツの記録方法などは、映像コンテンツの記録メディアへの記録処理が中断した場合でも、記録途中のゴミファイルを適切に削除することができる効果を有し、映像配信サーバから映像コンテンツをダウンロードする機能、またはダウンロードした映像コンテンツをリムーバブルメディアにエキスポートする機能を有するコンテンツ記録端末、コンテンツ記録再生システムおよびコンテンツの記録方法などとして有用である。
【符号の説明】
【０１１５】
１００  映像受信端末
１０１  データ取得送信部
１０２  ネットワークＩ／Ｆ部
１０３  制御部
１０４  ライセンス保存部
１０５  ダミーライセンス作成・保存部
１０６  表示部
１０７  ユーザ操作受付部
１０８  受信バッファ
１０９  ＳＤカード
１１０  ライセンス格納部
１１１  時刻比較部
１１２  ＳＤカード読み書き部
１１３  コンテンツ格納部
１２０  映像配信サーバ
１３０  映像コンテンツ名
１３１  映像コンテンツ詳細
１３２  映像コンテンツダウンロード実行ボタン
１４０  映像再生端末
１４１  再生制御部
１４２  ＳＤカード読み書き部
１４３  時刻比較部
１４４  表示部
１４５  ユーザ操作受付部
２００  映像受信端末
２０１  ＨＤＤ
２０２  ディスプレイ
２０３  リムーバブルメディア
２１０  映像配信サーバ
３０１  ダウンロード希望コンテンツ選択
３０２  コンテンツ詳細画面取得要求
３０３  コンテンツ詳細画面生成
３０４  コンテンツ詳細画面応答
３０５  コンテンツ詳細画面表示
３０６  ダウンロード実行
３０７  コンテンツダウンロード要求
３０８  コンテンツ購入確定処理
３０９  コンテンツダウンロード応答
３１０  正式ライセンス退避
３１１  ダミーライセンス生成
３１２  ダミーライセンス格納
３１３  コンテンツデータダウンロード
３１４  コンテンツエキスポート
３１５  正式ライセンス書き込み
【手続補正２】
【補正対象書類名】特許請求の範囲
【補正対象項目名】全文
【補正方法】変更
【補正の内容】
【特許請求の範囲】
【請求項１】
コンテンツをメディアに記録するコンテンツ書き込み部と、
有効期限を過去としたダミーライセンスを生成し保持するダミーライセンス生成部と、
前記ダミーライセンスを前記メディアに書き込み、また前記メディアからダミーライセンスを削除するダミーライセンス記録削除部と、
前記コンテンツに対する正当なライセンスを前記メディアに書き込む正当ライセンス記録部と、
前記コンテンツ書き込み部が前記コンテンツを前記メディアに記録する際に、前記ダミーライセンス記録削除部によって前記ダミーライセンスを前記メディアへ記録させ、前記コンテンツ書き込み部による前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる制御部と、を備えたコンテンツ記録端末。
【請求項２】
前記制御部は、
前記コンテンツ書き込み部による前記コンテンツの前記メディアへの記録が完了せずに終わった場合に前記記録を再開させる際、その再開しようとする対象のメディアに記録されているライセンスが前記ダミーライセンスであれば、前記コンテンツ書き込み部によって前記コンテンツの前記メディアへの記録を継続させ、その後、前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる、請求項１に記載のコンテンツ記録端末。
【請求項３】
前記メディアに記録された前記コンテンツを削除するコンテンツ削除部を備え、
前記制御部は、前記コンテンツ書き込み部による前記コンテンツの前記メディアへの記録が完了せずに終わった場合に前記記録を再開させる際、その再開しようとする対象のメディアに記録されているライセンスが前記ダミーライセンスでなければ、前記コンテンツ削除部および前記ダミーライセンス記録削除部によって、前記メディアに記録されている前記コンテンツおよび前記ライセンスを削除させる、請求項１または２に記載のコンテンツ記録端末。
【請求項４】
前記有効期限を過去としたライセンスには、前記コンテンツ記録端末を識別する情報が含まれている、請求項１〜３のいずれかに記載のコンテンツ記録端末。
【請求項５】
少なくとも前記コンテンツの前記メディアへの記録開始前に、前記正当なライセンスを取得し、前記正当なライセンスを前記メディアに記録するまで保持するライセンス保存部を備えた、請求項１〜４のいずれかに記載のコンテンツ記録端末。
【請求項６】
前記コンテンツを前記メディアに記録する際に、前記コンテンツをネットワークを介して取得するコンテンツ取得部を備え、
前記メディアは、前記コンテンツ記録端末に内蔵された固定メディアである、請求項１〜５のいずれかに記載のコンテンツ記録端末。
【請求項７】
前記メディアは、可換型記録メディアである、請求項１〜５のいずれかに記載のコンテンツ記録端末。
【請求項８】
コンテンツをメディアに記録するコンテンツ書き込み部と、
有効期限を過去としたダミーライセンスを生成し保持するダミーライセンス生成部と、
前記ダミーライセンスを前記メディアに書き込み、また前記メディアからダミーライセンスを削除するダミーライセンス記録削除部と、
前記コンテンツに対する正当なライセンスを前記メディアに書き込む正当ライセンス記録部と、
前記コンテンツ書き込み部が前記コンテンツを前記メディアに記録する際に、前記ダミーライセンス記録削除部によって前記ダミーライセンスを前記メディアへ記録させ、前記コンテンツ書き込み部による前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる制御部と、
を有するコンテンツ記録端末と、
前記メディアに記録されたコンテンツおよびライセンスを読み込み、また前記メディアに記録されているコンテンツおよびライセンスを削除するコンテンツ読み込み削除部と、
前記コンテンツ読み込み削除部によって読み込まれたライセンスの有効期限が超過しているか判定する有効期限判定部と、
前記読み込まれたライセンスの有効期限が超過していない場合には、前記メディアに記録されたコンテンツを再生させ、前記読み込まれたライセンスの有効期限が超過している場合には、前記メディアに記録されたコンテンツおよびライセンスをコンテンツ読み込み削除部によって削除させる再生制御部と、
を有するコンテンツ再生端末と、
を備えたコンテンツ記録再生システム。
【請求項９】
コンテンツをメディアに記録するコンテンツ記録端末におけるコンテンツの記録方法であって、
前記コンテンツを前記メディアに記録するコンテンツ記録ステップと、
有効期限を過去としたダミーライセンスを生成するダミーライセンス生成ステップと、
前記コンテンツを前記メディアに記録する際に、前記ダミーライセンスを前記メディアに記録するダミーライセンス記録ステップと、
前記コンテンツの前記メディアへの記録が完了した際、前記メディアに記録した前記ダミーライセンスを削除するとともに、前記コンテンツに対する正当なライセンスを前記メディアに記録するライセンス記録ステップと、を備えたコンテンツの記録方法。
【請求項１０】
前記コンテンツの前記メディアへの記録が完了せずに終わった場合に前記記録を再開する際、その再開しようとする対象のメディアに記録されているライセンスが前記ダミーライセンスであれば、前記コンテンツの前記メディアへの記録を継続し、その後、前記コンテンツの前記メディアへの記録が完了した際、前記メディアに記録した前記ダミーライセンスを削除するとともに前記正当なライセンスを前記メディアに記録するコンテンツ記録継続ステップを備えた、請求項９に記載のコンテンツの記録方法。
【請求項１１】
前記コンテンツ記録継続ステップは、前記コンテンツの前記メディアへの記録が完了せずに終わった場合に前記記録を再開する際、その再開しようとする対象のメディアに記録されているライセンスが前記ダミーライセンスでなければ、前記メディアに記録されている前記コンテンツおよび前記ライセンスを削除する、請求項９または１０に記載のコンテンツの記録方法。
【請求項１２】
請求項９に記載のコンテンツの記録方法の、有効期限を過去としたダミーライセンスを生成する前記ダミーライセンス生成ステップ、前記コンテンツを前記メディアに記録する際に、前記ダミーライセンスを前記メディアに記録する前記ダミーライセンス記録ステップ、前記コンテンツの前記メディアへの記録が完了した際、前記メディアに記録した前記ダミーライセンスを削除するとともに、前記コンテンツに対する正当なライセンスを前記メディアに記録する前記ライセンス記録ステップ、をコンピュータに実行させるプログラムを記録した記録媒体であって、コンピュータにより処理可能な記録媒体。
【手続補正３】
【補正対象書類名】図面
【補正対象項目名】全図
【補正方法】変更
【補正の内容】
【図１】
2011135642.tif 000011
【図２】
2011135642.tif 000012
【図３】
2011135642.tif 000013
【図４】
2011135642.tif 000014
【図５】
2011135642.tif 000015
【図６】
2011135642.tif 000016
【図７】
2011135642.tif 000017
【図８】
2011135642.tif 000018
【手続補正書】
【提出日】平成24年10月11日(2012.10.11)
【手続補正１】
【補正対象書類名】明細書
【補正対象項目名】００２２
【補正方法】変更
【補正の内容】
【００２２】
また、第４の本発明は、
前記有効期限を過去としたダミーライセンスには、前記コンテンツ記録端末を識別する情報が含まれている、第１〜第３のいずれかの本発明のコンテンツ記録端末である。
【手続補正２】
【補正対象書類名】明細書
【補正対象項目名】００２９
【補正方法】変更
【補正の内容】
【００２９】
また、第１１の本発明は、
前記コンテンツ記録継続ステップは、前記コンテンツの前記メディアへの記録が完了せずに終わった場合に前記記録を再開する際、その再開しようとする対象のメディアに記録されているライセンスが前記ダミーライセンスでなければ、前記メディアに記録されている前記コンテンツおよび前記ライセンスを削除する、第１０の本発明のコンテンツの記録方法である。
【手続補正３】
【補正対象書類名】明細書
【補正対象項目名】００３７
【補正方法】変更
【補正の内容】
【００３７】
なお、映像受信端末１００でダウンロードおよび記録する映像コンテンツが、本発明のコンテンツの一例にあたり、映像受信端末１００が、本発明のコンテンツ受信端末の一例にあたる。また、データ取得送信部１０１が、本発明のコンテンツ取得部の一例にあたり、ダミーライセンス作成・保存部１０５が、本発明のダミーライセンス生成部の一例にあたる。また、制御部１０３によって制御されるＳＤカード読み書き部１１２が、本発明の、コンテンツ書き込み部、ダミーライセンス記録削除部、および正当ライセンス記録部のそれぞれの一例にあたる。また、ＳＤカード１０９が、本発明の可換型記録メディアの一例にあたる。
【手続補正４】
【補正対象書類名】明細書
【補正対象項目名】００９４
【補正方法】変更
【補正の内容】
【００９４】
ライセンスの有効期限が過ぎている映像コンテンツには、レンタルサービスにて提供される映像コンテンツのように正常に有効期限が切れたものもあれば、前述のようなダウンロードが中断したためにコンテンツ格納部１１３へ記録途中だった映像コンテンツも含まれる。すなわち、映像コンテンツのダウンロード開始後、完了するまでの間は、ライセンス格納部１１０には有効期限を過去に設定したダミーライセンスが格納されている（ステップＳ１０５）ので、コンテンツ格納部１１３へ記録途中だった映像コンテンツに対応するライセンスを参照した場合、このダミーライセンスが読み出され、有効期限が切れていると判断されるからである。
【手続補正５】
【補正対象書類名】明細書
【補正対象項目名】０１０６
【補正方法】変更
【補正の内容】
【０１０６】
また、本実施の形態１では、本発明の可換型記録メディアの一例としてＳＤカード１０９を用いることとしたが、ＳＤカード以外のメモリカードや、ＤＶＤやＢｌｕ−ｒａｙディスクなど、その他の可換型記録メディアを用いてもよい。
【手続補正６】
【補正対象書類名】明細書
【補正対象項目名】０１１５
【補正方法】変更
【補正の内容】
【０１１５】
１００  映像受信端末
１０１  データ取得送信部
１０２  ネットワークＩ／Ｆ部
１０３  制御部
１０４  ライセンス保存部
１０５  ダミーライセンス作成・保存部
１０６  表示部
１０７  ユーザ操作受付部
１０８  受信バッファ
１０９  ＳＤカード
１１０  ライセンス格納部
１１１  時刻比較部
１１２  ＳＤカード読み書き部
１１３  コンテンツ格納部
１２０  映像配信サーバ
１３０  映像コンテンツ名
１３１  映像コンテンツ詳細
１３２  映像コンテンツダウンロード実行ボタン
１４０  映像再生端末
１４１  再生制御部
１４２  ＳＤカード読み書き部
１４３  時刻比較部
１４４  表示部
１４５  ユーザ操作受付部
２００  映像受信端末
２０１  ＨＤＤ
２０２  ディスプレイ
２０３  リムーバブルメディア
２１０  映像配信サーバ
３０１  ダウンロード希望コンテンツ選択指示
３０２  コンテンツ詳細画面取得要求
３０３  コンテンツ詳細画面生成
３０４  コンテンツ詳細画面応答
３０５  コンテンツ詳細画面表示
３０６  ダウンロード実行要求
３０７  コンテンツダウンロード要求
３０８  コンテンツ購入確定処理
３０９  コンテンツダウンロード応答
３１０  正式ライセンス退避
３１１  ダミーライセンス生成
３１２  ダミーライセンス格納
３１３  コンテンツデータダウンロード
３１４  コンテンツエキスポート
３１５  正式ライセンス書き込み
【手続補正７】
【補正対象書類名】特許請求の範囲
【補正対象項目名】全文
【補正方法】変更
【補正の内容】
【特許請求の範囲】
【請求項１】
コンテンツをメディアに記録するコンテンツ書き込み部と、
有効期限を過去としたダミーライセンスを生成し保持するダミーライセンス生成部と、
前記ダミーライセンスを前記メディアに書き込み、また前記メディアからダミーライセンスを削除するダミーライセンス記録削除部と、
前記コンテンツに対する正当なライセンスを前記メディアに書き込む正当ライセンス記録部と、
前記コンテンツ書き込み部が前記コンテンツを前記メディアに記録する際に、前記ダミーライセンス記録削除部によって前記ダミーライセンスを前記メディアへ記録させ、前記コンテンツ書き込み部による前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる制御部と、を備えたコンテンツ記録端末。
【請求項２】
前記制御部は、
前記コンテンツ書き込み部による前記コンテンツの前記メディアへの記録が完了せずに終わった場合に前記記録を再開させる際、その再開しようとする対象のメディアに記録されているライセンスが前記ダミーライセンスであれば、前記コンテンツ書き込み部によって前記コンテンツの前記メディアへの記録を継続させ、その後、前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる、請求項１に記載のコンテンツ記録端末。
【請求項３】
前記メディアに記録された前記コンテンツを削除するコンテンツ削除部を備え、
前記制御部は、前記コンテンツ書き込み部による前記コンテンツの前記メディアへの記録が完了せずに終わった場合に前記記録を再開させる際、その再開しようとする対象のメディアに記録されているライセンスが前記ダミーライセンスでなければ、前記コンテンツ削除部および前記ダミーライセンス記録削除部によって、前記メディアに記録されている前記コンテンツおよび前記ライセンスを削除させる、請求項１または２に記載のコンテンツ記録端末。
【請求項４】
前記有効期限を過去としたダミーライセンスには、前記コンテンツ記録端末を識別する情報が含まれている、請求項１〜３のいずれかに記載のコンテンツ記録端末。
【請求項５】
少なくとも前記コンテンツの前記メディアへの記録開始前に、前記正当なライセンスを取得し、前記正当なライセンスを前記メディアに記録するまで保持するライセンス保存部を備えた、請求項１〜４のいずれかに記載のコンテンツ記録端末。
【請求項６】
前記コンテンツを前記メディアに記録する際に、前記コンテンツをネットワークを介して取得するコンテンツ取得部を備え、
前記メディアは、前記コンテンツ記録端末に内蔵された固定メディアである、請求項１〜５のいずれかに記載のコンテンツ記録端末。
【請求項７】
前記メディアは、可換型記録メディアである、請求項１〜５のいずれかに記載のコンテンツ記録端末。
【請求項８】
コンテンツをメディアに記録するコンテンツ書き込み部と、
有効期限を過去としたダミーライセンスを生成し保持するダミーライセンス生成部と、
前記ダミーライセンスを前記メディアに書き込み、また前記メディアからダミーライセンスを削除するダミーライセンス記録削除部と、
前記コンテンツに対する正当なライセンスを前記メディアに書き込む正当ライセンス記録部と、
前記コンテンツ書き込み部が前記コンテンツを前記メディアに記録する際に、前記ダミーライセンス記録削除部によって前記ダミーライセンスを前記メディアへ記録させ、前記コンテンツ書き込み部による前記コンテンツの前記メディアへの記録が完了した際、前記ダミーライセンス記録削除部によって前記メディアに記録した前記ダミーライセンスを削除させるとともに、前記正当ライセンス記録部によって前記正当なライセンスを前記メディアに記録させる制御部と、
を有するコンテンツ記録端末と、
前記メディアに記録されたコンテンツおよびライセンスを読み込み、また前記メディアに記録されているコンテンツおよびライセンスを削除するコンテンツ読み込み削除部と、
前記コンテンツ読み込み削除部によって読み込まれたライセンスの有効期限が超過しているか判定する有効期限判定部と、
前記読み込まれたライセンスの有効期限が超過していない場合には、前記メディアに記録されたコンテンツを再生させ、前記読み込まれたライセンスの有効期限が超過している場合には、前記メディアに記録されたコンテンツおよびライセンスをコンテンツ読み込み削除部によって削除させる再生制御部と、
を有するコンテンツ再生端末と、
を備えたコンテンツ記録再生システム。
【請求項９】
コンテンツをメディアに記録するコンテンツ記録端末におけるコンテンツの記録方法であって、
前記コンテンツを前記メディアに記録するコンテンツ記録ステップと、
有効期限を過去としたダミーライセンスを生成するダミーライセンス生成ステップと、
前記コンテンツを前記メディアに記録する際に、前記ダミーライセンスを前記メディアに記録するダミーライセンス記録ステップと、
前記コンテンツの前記メディアへの記録が完了した際、前記メディアに記録した前記ダミーライセンスを削除するとともに、前記コンテンツに対する正当なライセンスを前記メディアに記録するライセンス記録ステップと、を備えたコンテンツの記録方法。
【請求項１０】
前記コンテンツの前記メディアへの記録が完了せずに終わった場合に前記記録を再開する際、その再開しようとする対象のメディアに記録されているライセンスが前記ダミーライセンスであれば、前記コンテンツの前記メディアへの記録を継続し、その後、前記コンテンツの前記メディアへの記録が完了した際、前記メディアに記録した前記ダミーライセンスを削除するとともに前記正当なライセンスを前記メディアに記録するコンテンツ記録継続ステップを備えた、請求項９に記載のコンテンツの記録方法。
【請求項１１】
前記コンテンツ記録継続ステップは、前記コンテンツの前記メディアへの記録が完了せずに終わった場合に前記記録を再開する際、その再開しようとする対象のメディアに記録されているライセンスが前記ダミーライセンスでなければ、前記メディアに記録されている前記コンテンツおよび前記ライセンスを削除する、請求項１０に記載のコンテンツの記録方法。
【請求項１２】
請求項９に記載のコンテンツの記録方法の、有効期限を過去としたダミーライセンスを生成する前記ダミーライセンス生成ステップ、前記コンテンツを前記メディアに記録する際に、前記ダミーライセンスを前記メディアに記録する前記ダミーライセンス記録ステップ、前記コンテンツの前記メディアへの記録が完了した際、前記メディアに記録した前記ダミーライセンスを削除するとともに、前記コンテンツに対する正当なライセンスを前記メディアに記録する前記ライセンス記録ステップ、をコンピュータに実行させるプログラムを記録した記録媒体であって、コンピュータにより処理可能な記録媒体。
【国際調査報告】
2011135642.tif 000019
2011135642.tif 000020